(57)【要約】【課題】複数の態様で回胴を回転可能な回胴式遊技機で、電断状態の発生後も、簡単に遊技を再開可能とする。【解決手段】複数の回胴が、規定回転速度で規定方向に通常回転している状態では、停止ボタンを操作して回胴を停止させることが可能である。また、通常回転に先立って、停止状態の回胴を特殊加速させた後、特殊回転を行うことも可能となっている。通常回転中に発生した電断状態からの復帰時には、通常回転に復帰させるが、特殊回転中の電断状態からの復帰時には、停止している回胴を特殊加速させて特殊回転状態に復帰させた後、残り時間の計時を再開する。こうすれば、特殊回転中に電断状態が発生した場合でも、正確に特殊回転状態に復帰させることができる。また、特殊回転させるための特殊加速をそのまま流用できるので、遊技を再開するための処理が複雑化することもない。【選択図】図３０
2010279628.tif 000002
【特許請求の範囲】
【請求項１】
外周面に複数種類の図柄が表示された複数の回胴を、規定回転速度で規定方向に回転させた後、該回胴毎に設けられた回胴停止ボタンを操作することによって、対応する回胴を停止させる遊技を行う回胴式遊技機において、
前記回胴を、停止状態から前記規定回転速度に達するまで前記規定方向に加速させる通常加速を実行する通常加速実行手段と、
前記通常加速実行手段によって前記規定回転速度まで加速された前記回胴を、該規定回転速度を保ったまま前記規定方向に回転させることにより、通常回転を実行する通常回転実行手段と、
前記通常加速の実行に先立って、回転速度または回転方向の少なくとも一方が前記通常回転と異なる態様で、前記回胴を所定時間だけ回転させる特殊回転を実行する特殊回転実行手段と、
前記特殊回転を実行するために、停止状態にある前記回胴を、前記特殊回転に対応する回転速度に達するまで、前記特殊回転に対応する方向に加速させる特殊加速を実行する特殊加速実行手段と、
前記通常回転の実行中に電力の供給が切断される電断状態が発生した場合には、前記電力の供給回復後に、前記通常加速および前記通常回転を実行することで、前記回胴が前記通常回転を行う状態に復帰させる通常回転復帰手段と、
前記特殊回転の実行中に前記電断状態が発生した場合に、前記電断状態発生時点での前記特殊回転の残り実行時間を記憶する残り実行時間記憶手段と、
前記電力の供給回復後に前記残り実行時間が記憶されている場合に、停止状態にある前記回胴に対して前記特殊加速を実行することで、前記回胴が前記特殊回転を行う状態に復帰させる特殊回転復帰手段と、
前記電力の供給回復後に、前記特殊回転復帰手段を用いて前記特殊加速を行った後、前記残り時間の計時を再開する計時再開手段と
を備えることを特徴とする回胴式遊技機。
【請求項２】
請求項１に記載の回胴式遊技機において、
前記特殊回転の回転態様として、複数の回転態様を記憶する特殊回転態様記憶手段と、
前記特殊加速の実行に先立って、実行する前記特殊回転の回転態様を決定する特殊回転態様決定手段と
を備え、
前記特殊回転復帰手段は、前記回胴を、前記電断状態の発生前と同じ回転態様の前記特殊回転を行う状態に復帰させることを特徴とする請求項１に記載の回胴式遊技機。
【発明の詳細な説明】
【技術分野】
【０００１】
本発明は、外周面に複数種類の図柄が描かれた複数の回胴を回転させ、該複数の回胴が停止したときの図柄組合せに応じて、所定の特典が遊技者に付与される遊技を行う回胴式遊技機に関する。
【背景技術】
【０００２】
外周面に複数種類の図柄が描かれた複数の回胴を回転させ、所定の図柄組合せが揃うように各回胴を停止させる遊技を行う回胴式遊技機が広く知られている。こうした回胴式遊技機では、遊技者が、スタートレバーを操作して回胴を回転させた後、停止ボタンを操作して回胴を停止させるという単純な操作を繰り返すことによって遊技が行われる。
【０００３】
このため、所定の図柄組合せを揃えることができないと遊技が単調になってしまい、遊技者が退屈に感じることがある。そこで、所定の条件が揃った場合には、通常とは異なる特殊な回転態様で回胴を回転させることで、遊技に変化を与えて遊技者の退屈感を払拭しようとする技術が提案されている。例えば、回胴を回転させる際に回転方向の抽選を行い、抽選結果に応じた方向に回転させる技術が提案されている（特許文献１）。
【先行技術文献】
【特許文献】
【０００４】
【特許文献１】特開２００５−１１１０３５号公報
【発明の概要】
【発明が解決しようとする課題】
【０００５】
しかし、このように回胴の回転態様を多様化すると、特殊な態様での回転中に回胴式遊技機への電力供給が切断される電断状態が発生した場合に、電力の供給が回復したことを受けて遊技を正確に再開することができなくなる虞があった。すなわち電断状態の発生により、特殊な態様で回胴を回転させていたことがクリア（初期化）され、電断状態からの復帰後の回胴の回転状態が、電断発生前の回転態様と異なってしまう虞があった。
【０００６】
この発明は、従来の技術が有する上述した課題に対応してなされたものであり、たとえ特殊な態様での回転中に電断状態が発生した場合でも、電断状態からの復帰時に正確に遊技を復帰させることが可能な回胴式遊技機の提供を目的とする。
【課題を解決するための手段】
【０００７】
上述した課題の少なくとも一部を解決するために、本発明の回胴式遊技機は次の構成を採用した。すなわち、
外周面に複数種類の図柄が表示された複数の回胴を、規定回転速度で規定方向に回転させた後、該回胴毎に設けられた回胴停止ボタンを操作することによって、対応する回胴を停止させる遊技を行う回胴式遊技機において、
前記回胴を、停止状態から前記規定回転速度に達するまで前記規定方向に加速させる通常加速を実行する通常加速実行手段と、
前記通常加速実行手段によって前記規定回転速度まで加速された前記回胴を、該規定回転速度を保ったまま前記規定方向に回転させることにより、通常回転を実行する通常回転実行手段と、
前記通常加速の実行に先立って、回転速度または回転方向の少なくとも一方が前記通常回転と異なる態様で、前記回胴を所定時間だけ回転させる特殊回転を実行する特殊回転実行手段と、
前記特殊回転を実行するために、停止状態にある前記回胴を、前記特殊回転に対応する回転速度に達するまで、前記特殊回転に対応する方向に加速させる特殊加速を実行する特殊加速実行手段と、
前記通常回転の実行中に電力の供給が切断される電断状態が発生した場合には、前記電力の供給回復後に、前記通常加速および前記通常回転を実行することで、前記回胴が前記通常回転を行う状態に復帰させる通常回転復帰手段と、
前記特殊回転の実行中に前記電断状態が発生した場合に、前記電断状態発生時点での前記特殊回転の残り実行時間を記憶する残り実行時間記憶手段と、
前記電力の供給回復後に前記残り実行時間が記憶されている場合に、停止状態にある前記回胴に対して前記特殊加速を実行することで、前記回胴が前記特殊回転を行う状態に復帰させる特殊回転復帰手段と、
前記電力の供給回復後に、前記特殊回転復帰手段を用いて前記特殊加速を行った後、前記残り時間の計時を再開する計時再開手段と
を備えることを特徴とする。
【０００８】
こうした本発明の回胴式遊技機においては、複数の回胴を規定回転速度で規定方向に回転させる通常回転を行っている状態で、回胴毎に設けられた回胴停止ボタンを操作することによって、回胴を停止させることが可能である。また、この通常回転に先立って、通常回転とは回転速度または回転方向の少なくとも何れか一方が異なる態様で、特殊回転を行うことも可能である。更に、停止している回胴を通常回転させる際には通常加速が行われ、停止している回胴を特殊回転させる際には特殊加速が行われるようになっている。そして、通常回転中に電断状態が発生した場合には、電力の供給が回復すると、複数の回胴が通常回転を行う状態に復帰させる。これに対して、特殊回転中に電断状態が発生した場合には、電断状態が発生した時点での特殊動作の残り時間を記憶すると共に、電力の供給回復後には、停止している回胴に対して特殊加速を行うことによって特殊回転させた後、残り時間だけ特殊回転する状態に復帰させる。
【０００９】
尚、「特殊回転」の態様としては、「Ａ：規定回転よりも低速での回胴の回転」、「Ｂ：規定回転よりも高速での回胴の回転」、「Ｃ：規定回転と異なる速度を規則的または変則的に切り換える回転（速くなったり遅くなったりする回転）」、「Ｄ：規定方向と逆方向への回胴の回転」、及び「Ａ〜Ｄを組み合わせた回転（逆方向での低速回転等）」等の種々の態様が挙げられ、複数の回胴の全部が何らかの動作をしてもよいし、一部の回胴または全部の回胴が何もしない状態（つまり、停止したままの状態）であってもよい。また、複数の回胴で行う場合には、各回胴が異なる態様で回転してもよい。
【００１０】
このような本発明によれば、特殊回転中に電断状態が発生すると、電源投入後（電源復帰時）は、停止している回胴に対して特殊加速を行うことによって特殊回転させた後、その状態から、残り時間の計時を再開して特殊回転を実行することができる。つまり、停止している回胴を特殊回転状態に復帰させてから、残り時間の計時を再開するので、電断状態の発生前の遊技の進行段階に正確に復帰させることが可能となる。
【００１１】
また、このような本発明の回胴式遊技機においては、特殊回転の回転態様として、複数の回転態様を記憶しておき、特殊加速の実行に先立って、実行する特殊回転の回転態様を決定することとしても良い。そして、特殊回転中に発生した電断状態から復帰するに際しては、電断状態が発生する前と同じ回転態様の記特殊回転に復帰させることとしても良い。
【００１２】
こうすれば、たとえ特殊回転の態様が多くなった場合でも、その特殊回転を開始するための特殊加速が必ず設けられているから、特殊回転中に電源切断状態が発生した場合には、その特殊回転に対応する特殊加速をそのまま使用して特殊回転状態に復帰させることができるので、如何に特殊回転の態様が多くなった場合でも、特殊回転状態に正確に復帰させることが可能となる。
【発明の効果】
【００１３】
本発明によれば、回胴を複数の態様で回転させることが可能でありながら、電断状態からの復帰時には、電断発生前の回転状態に正確に復帰させて、遊技を再開することが可能な回胴式遊技機を提供できる。
【図面の簡単な説明】
【００１４】
【図１】本実施例の遊技機の外観を示す正面図である。
【図２】前面扉を開いて遊技機の内部の構成を示した斜視図である。
【図３】３つの回胴の外周面に表示された図柄の配列を示す説明図である。
【図４】本実施例の遊技機の電気的構成を示す説明図である。
【図５】本実施例の遊技機に設定されている入賞ラインを示した説明図である。
【図６】本実施例の遊技機に設定されている遊技役を、遊技役の入賞を成立させる図柄組合せ、および入賞成立によって付与される特典と対応付けて示した説明図である。
【図７】本実施例の遊技機において主制御基板が遊技の進行を制御するために行う遊技制御処理の前半部分を示すフローチャートである。
【図８】本実施例の遊技機において主制御基板が行う遊技制御処理の後半部分を示すフローチャートである。
【図９】通常遊技用抽選テーブルを概念的に示した説明図である。
【図１０】内部当選フラグの構成を例示した説明図である。
【図１１】遊技状態フラグの構成を例示した説明図である。
【図１２】遊技状態設定処理を示すフローチャートである。
【図１３】ＢＢ一般遊技用抽選テーブルを概念的に示した説明図である。
【図１４】ＲＢ遊技用抽選テーブルを概念的に示した説明図である。
【図１５】遊技制御処理の中で実行される回胴回転処理を示すフローチャートである。
【図１６】通常加速に続いて通常回転を行う通常駆動パターンを例示した説明図である。
【図１７】通常駆動を実施するためのステップモータの駆動方法を例示した説明図である。
【図１８】ステップモータを駆動するための８つの励磁状態を例示した説明図である。
【図１９】特殊駆動を行うための特殊駆動実行処理を示すフローチャートである。
【図２０】特殊駆動態様を例示した説明図である。
【図２１】態様Ａの特殊駆動に対応するステップモータの駆動方法を例示した説明図である。
【図２２】態様Ｂの特殊駆動に対応するステップモータの駆動方法を例示した説明図である。
【図２３】遊技制御処理の中で実行される回胴回転停止処理を示すフローチャートである。
【図２４】回胴回転停止処理の中で実行される回胴停止制御処理を示すフローチャートである。
【図２５】第１停止テーブルを例示した説明図である。
【図２６】第１回胴として左回胴を停止する様子を例示した説明図である。
【図２７】第１停止テーブルと第２停止テーブルとの関係を概念的に示した説明図である。
【図２８】電源投入時に行われる電源投入処理を示すフローチャートである。
【図２９】特殊回転復帰処理を示すフローチャートである。
【図３０】特殊回転復帰処理で電断状態から復帰する様子を示した説明図である。
【発明を実施するための形態】
【００１５】
以下では、上述した本願発明の内容を明確にするために、次のような順序に従って実施例を説明する。
Ａ．回胴式遊技機の装置構成：
Ａ−１．全体構成：
Ａ−２．電気的構成：
Ｂ．遊技の概要：
Ｃ．回胴式遊技機の制御内容：
Ｃ−１．遊技制御処理：
Ｃ−２．遊技状態設定処理：
Ｃ−３．回胴回転処理：
Ｃ−４．回胴回転停止処理：
Ｄ．電源投入処理：
Ｅ．特殊回転復帰処理：
【００１６】
Ａ．回胴式遊技機の装置構成  ：
Ａ−１．全体構成  ：
図１は、回胴式遊技機１（以下、「遊技機１」と略記）の外観を示す正面図である。図１に示すように、遊技機１には、箱状に形成された筐体３と、筐体３の前面側を覆うようにして設けられた前面扉２などが設けられている。前面扉２は、実際に遊技が行われる中段の領域と、遊技の進行に応じて種々の演出が行われる上段の領域２ｕと、遊技メダルが払い出される下段の領域２ｄとの大きく３つの領域から構成され、更に中段の領域は、遊技の状態を表示するための遊技状態表示部２ｍａと、遊技を行うための操作部２ｍｂとから構成されている。
【００１７】
上段の領域２ｕには、中央に演出表示装置１０が設けられ、演出表示装置１０の左右にはスピーカ１４が設けられ、演出表示装置１０およびスピーカ１４の上方には、各種のランプ類１２が設けられている。演出表示装置１０は、いわゆる液晶表示装置によって構成されており、遊技の進行状況に合わせて種々の図柄を表示して演出を行うことが可能となっている。
【００１８】
前面扉２の中段に設けられた遊技状態表示部２ｍａの中央には、大きな表示窓２０が設けられており、内部に設けられた３つの回胴２０ａ，２０ｂ，２０ｃが回転する様子を視認可能となっている。また、表示窓２０の左右および下方には、遊技の状態を表示する各種の表示パネル類２２が設けられている。
【００１９】
前面扉２の中段下方に設けられた操作部２ｍｂは、手前に向かって突出した形状に形成されており、上面には、遊技メダルを投入するための遊技メダル投入口３０と、クレジットとして貯留されている遊技メダルを、１ゲームに要する枚数だけ投入するための投入ボタン３４などが設けられている。尚、遊技メダルの貯留とは、遊技メダル投入口３０に投入された遊技メダルの枚数が規定枚数（１ゲームに要する遊技メダル枚数の上限）を超えた場合にその超えた分をデータとして記憶しておくこと、および、遊技メダルを実際に払い出す代わりにメダルの払い出し枚数をデータとして記憶しておくことをいう。また、操作部２ｍｂの前面には、遊技メダルの投入後に回胴２０ａ，２０ｂ，２０ｃの回転を開始するためのスタートレバー３６と、３つの回胴２０ａ，２０ｂ，２０ｃの回転をそれぞれ停止させるための回胴停止ボタン３８ａ，３８ｂ，３８ｃなどが設けられている。
【００２０】
加えて、操作部２ｍｂには、上面に精算ボタン４０、および前面に返却ボタン４２が設けられている。ここで、精算ボタン４０とは、遊技機１の内部に貯留されている遊技メダルを外部に払い出す際に操作するボタンである。遊技メダルの投入後も、スタートレバー３６を操作して回胴２０ａ，２０ｂ，２０ｃの回転を開始するまでの間であれば、投入済みの遊技メダルも精算ボタン４０を操作することによって払い出すことが可能である。また、返却ボタン４２とは、投入した遊技メダルが遊技機１の内部で詰まった場合に、メダルの詰まりを解消するために操作されるボタンである。
【００２１】
前面扉２の下段の領域２ｄには、遊技メダルが払い出される遊技メダル払出口５０と、払い出された遊技メダルを受け止める受け皿５２などが設けられている。
【００２２】
図２は、前面扉２を開いて遊技機１の内部の構成を示した斜視図である。前面扉２の裏面側上部には、演出表示装置１０が取り付けられており、その左右には一対のスピーカ１４が取り付けられている。前面扉２のほぼ中央には表示窓２０が設けられており、その下方には、後述する扉基板２４０が設けられている。また、扉基板２４０の下方には、回胴停止ボタン３８ａ，３８ｂ，３８ｃや、スタートレバー３６が取り付けられている。
【００２３】
回胴停止ボタン３８ａ，３８ｂ，３８ｃの左方には、投入された遊技メダルの通路となるメダルセレクタ１０６が設けられており、その下方には、遊技メダルを遊技メダル払出口５０に導くためのコインシュータ１０８などが設けられている。メダルセレクタ１０６は、遊技メダル投入口３０から投入された遊技メダルを主に寸法に基づいて選別し、規格寸法に適合した遊技メダルだけを受け入れる機能を有している。遊技者がスタートレバー３６を操作する前に遊技メダルを投入すると、遊技メダルはメダルセレクタ１０６によって選別され、規格を満足しているものだけがホッパー１１６内に投入され、規格を満たしていないメダルは、コインシュータ１０８を通って、遊技メダル払出口５０に返却される。これに対して、スタートレバー３６が操作された後に遊技メダルが投入された場合は、メダルセレクタ１０６内の通路が切り換わり、投入された遊技メダルはコインシュータ１０８を通って、遊技メダル払出口５０に返却される。また、メダルセレクタ１０６の内部には、図示しないメダルセンサが設けられており、寸法規格を満たして受け入れられた遊技メダルが通過すると、メダルセンサによって検出されて、その信号が後述する主制御基板２００に供給されるようになっている。
【００２４】
このような前面扉２が取り付けられる筐体３のほぼ中央には、３つの回胴２０ａ，２０ｂ，２０ｃが設けられており、各回胴の外周面には、後述するように複数種類の図柄が描かれている。これら回胴の上方には、遊技全体の制御を司る後述する主制御基板２００が格納された主制御基板ユニット１１０が設けられており、回胴の背後には、各回胴を駆動するための後述する回胴基板２６０が格納された回胴基板ユニット１１２が設けられている。また、回胴の左方には、図１に示した演出表示装置１０や、各種ランプ類１２、スピーカ１４などを用いて行われる各種演出の制御を司る後述するサブ制御基板２２０が格納されたサブ制御基板ユニット１１１が設けられている。
【００２５】
３つの回胴２０ａ，２０ｂ，２０ｃの下方には、リアスピーカ１１４が設けられ、更にその下方には、投入された遊技メダルが集められるホッパー１１６や、遊技メダルを払い出すメダル払出装置１１８、遊技機１全体に電源を供給するための後述する電源基板２８０が格納された電源ユニット１２０などが搭載されている。メダル払出装置１１８から払い出された遊技メダルは、コインシュータ１０８を通って、遊技メダル払出口５０から払い出されるようになっている。また、電源ユニット１２０の前面には、遊技機１の電源を投入するための電源スイッチ１２０ｓも設けられている。
【００２６】
図３は、３つの回胴２０ａ，２０ｂ，２０ｃの外周面に描かれた図柄の配列を示す説明図である。各回胴には、何れも２１個の図柄が外周面に描かれている。また、何れの回胴についても、描かれている図柄の種類は同じであるが、図柄の配列については回胴毎に異なる配列に設定されている。
【００２７】
Ａ−２．電気的構成  ：
図４は、本実施例に係る遊技機１の電気的構成を示す説明図である。図４に示すように、遊技機１には、主制御基板２００を中心として、サブ制御基板２２０、扉基板２４０、回胴基板２６０、電源基板２８０、中継基板３００等がデータをやり取り可能に接続されて構成されている。
【００２８】
主制御基板２００は、遊技機１で行われる遊技全体の進行や演出を司る基板である。この主制御基板２００には、ＣＰＵ２０１、ＲＯＭ２０２、ＲＡＭ２０３などがバスによって互いにデータをやり取り可能に接続されて搭載されている。そして、主制御基板２００のＣＰＵ２０１は、前面扉２に搭載された扉基板２４０から、スタートレバー３６が操作されたことを示す信号などを受け取って、後述する遊技制御処理を実行しながら、サブ制御基板２２０や、扉基板２４０、回胴基板２６０などに向かって制御コマンド（あるいは制御信号）を出力することにより、これら各種基板の動作を制御している。
【００２９】
サブ制御基板２２０も、上述した主制御基板２００と同様に、ＣＰＵ２２１や、ＲＯＭ２２２、ＲＡＭ２２３などがバスによって互いにデータをやり取り可能に接続されて構成されている。また、サブ制御基板２２０には、各種のランプ類１２や、各種のスピーカ１４，１１４、演出表示装置１０、回胴バックライト２０Ｌなどが接続されている。ここで回胴バックライト２０Ｌとは、各回胴２０ａ，２０ｂ，２０ｃの内部に設けられ、回胴の表面に描かれた図柄（図３参照）を裏側から照らすライトである。サブ制御基板２２０は、主制御基板２００から受け取った制御コマンドを解析して、各種ランプ類１２、各種スピーカ１４，１１４、演出表示装置１０、回胴バックライト２０Ｌにそれぞれ駆動信号を出力することにより、各種の演出を行っている。
【００３０】
扉基板２４０には、メダルセレクタ１０６や、貯留されている遊技メダルを投入するための投入ボタン３４、回胴の回転を開始するためのスタートレバー３６、回転している回胴を停止させるための回胴停止ボタン３８ａ，３８ｂ，３８ｃ、貯留されている遊技メダルや投入された遊技メダルを払い出して遊技を終了するための精算ボタン４０、遊技の状態を表示する各種の表示パネル２２などが接続されている。また、この扉基板２４０は、前述した主制御基板２００とデータをやり取り可能に接続されている。このため、前面扉２に設けられたスタートレバー３６や、回胴停止ボタン３８ａ，３８ｂ，３８ｃ、投入ボタン３４、精算ボタン４０などを操作すると、扉基板２４０を介して、その信号が主制御基板２００に供給されるようになっている。また、メダルセレクタ１０６が、内蔵するメダルセンサによって遊技メダルの通過を検出した信号も、扉基板２４０を介して主制御基板２００に供給される。
【００３１】
回胴基板２６０には、３つの回胴２０ａ，２０ｂ，２０ｃをそれぞれ回転させるための回胴モータ２４ａ，２４ｂ，２４ｃと、それぞれの回胴の回転位置を検出するための回胴センサ２６ａ，２６ｂ，２６ｃなどが接続されている。回胴基板２６０は、回胴センサ２６ａ，２６ｂ，２６ｃによって、各回胴２０ａ，２０ｂ，２０ｃの回転位置を検出しながら、回胴モータ２４ａ，２４ｂ，２４ｃを駆動することにより、それぞれの回胴２０ａ，２０ｂ，２０ｃを、所望の位置で停止させることが可能となっている。また、本実施例の遊技機１では、回胴モータ２４ａ，２４ｂ，２４ｃには、いわゆるステップモータ（ステッピングモータ）が使用されている。なお、ステップモータは、回胴が１回転するステップ数として、５０４ステップが設定されている。図３を用いて前述したように、各回胴には略均一の大きさで２１図柄が設定されており、１図柄分に相当するステップ数としては、２４ステップ（＝２１／５０４）が設定されている。
【００３２】
また、メダル払出装置１１８は、中継基板３００を介して、主制御基板２００に接続されており、主制御基板２００からの制御信号に基づいて、所定枚数の遊技メダルを払い出す動作を行う。
【００３３】
これら各種制御基板および基板で消費される電力は、電源基板２８０から供給されている。図４では、電源基板２８０から電力が供給される様子を破線の矢印で表している。図示されているように、主制御基板２００およびサブ制御基板２２０には、電源基板２８０から電力が直接供給されており、各種基板（扉基板２４０、回胴基板２６０、中継基板３００）には、主制御基板２００を介して電力が供給されている。電源基板２８０には１００Ｖの交流電圧が供給されており、この電力を規定電圧の直流電圧に変換した後、それぞれの制御基板および基板に供給している。
【００３４】
Ｂ．遊技の概要  ：
以下では、上記の構成を有する回胴式の遊技機１において、遊技を進行するために行われる制御の内容について説明するが、その準備として、回胴式遊技機で行われる遊技の概要を説明しておく。
【００３５】
遊技を開始するにあたっては、遊技メダル投入口３０から遊技メダルを投入して、遊技を開始するに必要な枚数（規定枚数）の遊技メダルのベットを行う。本実施例の遊技機１では、規定枚数は「３枚」に固定されており、３枚の遊技メダルをベットすると、スタートレバー３６の操作が有効化される。また、遊技メダルがクレジットとして予め内部に貯留されている場合は、投入ボタン３４を押すことによって規定枚数の遊技メダルをベットすることも可能である。
【００３６】
規定枚数の遊技メダルをベットして、スタートレバー３６を操作すると、３つの回胴２０ａ，２０ｂ，２０ｃが回転を開始する。図３を用いて前述したように、各回胴には複数の図柄が描かれているため、回胴が回転すると、表示窓２０では、これら図柄が変動表示されることになる。また、図１を用いて前述したように、前面扉２の前面側には、各回胴に対応して３つの回胴停止ボタン３８ａ，３８ｂ，３８ｃが設けられている。回胴２０ａ，２０ｂ，２０ｃの回転中に回胴停止ボタン３８ａ，３８ｂ，３８ｃを押すと、押したボタンに対応する回胴が回転を停止し、これに伴って、表示窓２０では、変動表示されていた図柄が何れかの図柄で停止表示される。このようにして、３つの回胴２０ａ，２０ｂ，２０ｃの回転を停止させると、それぞれの回胴で何れかの図柄が停止表示される。本実施例の遊技機１では、表示窓２０の大きさは、各回胴あたり３つずつ、図柄が表示されるような大きさに設定されている。結局、３つの回胴２０ａ，２０ｂ，２０ｃが停止表示されると、表示窓２０には、３行３列の合計９つの図柄が表示されるようになる。また、これら９つの図柄が表示される位置には、複数本の入賞ラインが予め設定されている。
【００３７】
図５は、本実施例の遊技機１に設定されている入賞ラインを示した説明図である。図示されているように、本実施例の遊技機１では、上段の入賞ラインＬ１と、中段の入賞ラインＬ２と、下段の入賞ラインＬ３と、右斜め上方向きの入賞ラインＬ４と、右斜め下方向きの入賞ラインＬ５の合計５本の入賞ラインが設定されている。３つの回胴２０ａ，２０ｂ，２０ｃが停止すると、これらの入賞ライン上には、何某かの図柄組合せが得られることになる。そして、入賞ライン上に揃った図柄組合せが、何れかの遊技役に対応する図柄組合せであった場合には、その遊技役の入賞が成立し、遊技役に応じた特典が遊技者に付与される。
【００３８】
図６は、本実施例の遊技機１に設定されている遊技役の種類を、その遊技役の入賞を成立させる図柄組合せ、および遊技役の入賞が成立したときに遊技者に付与される特典と対応付けて示した説明図である。図６では、左端の欄に遊技役の種類が表示され、中央の欄には遊技役の入賞を成立させる図柄組合せが表示され、右端の欄には遊技役の入賞が成立したときに遊技者に付与される特典が表示されている。例えば、最上段に示したビッグボーナス役（以下、ＢＢ役）と呼ばれる遊技役には、「赤セブン」と呼ばれる図柄の揃った図柄組合せ、あるいは「青セブン」と呼ばれる図柄の揃った図柄組合せが対応付けられており、何れかの図柄組合せで揃うと、特典として、遊技者にとって大変有利なビッグボーナス遊技（ＢＢ遊技）と呼ばれる遊技状態が開始される。尚、本実施例の遊技機１では、「赤セブン」の図柄で入賞が成立したＢＢ役を「赤７のＢＢ役」と呼び、「青セブン」の図柄で入賞が成立したＢＢ役を「青７のＢＢ役」と呼んで区別する。
【００３９】
本実施例のＢＢ遊技は、ＢＢ一般遊技とレギュラーボーナス遊技（ＲＢ遊技）とによって構成されている。ここで、ＢＢ一般遊技とは、通常遊技では入賞が成立することのないレギュラーボーナス役（以下、ＲＢ役）と呼ばれる遊技役の入賞が成立し易い遊技状態であり、ＢＢ一般遊技でＲＢ役の入賞が成立すると、ＢＢ遊技の中でＲＢ遊技が開始される。また、ＲＢ遊技とは、特典として遊技メダルが払い出される遊技役の種類が通常遊技に比べて増加し、その増加した遊技役（増加役）の入賞が高い確率で成立する遊技状態であり、ＲＢ遊技の開始後に所定回数だけ遊技役の入賞（例えば、８回入賞）が成立するか、あるいは所定回数の遊技（例えば、１２ゲーム）が行われると、ＢＢ一般遊技へと復帰する。こうしてＢＢ一般遊技とＲＢ遊技とが繰り返されるＢＢ遊技は、所定枚数（例えば、４００枚）の遊技メダルが払い出されるまで継続される。そのため、ＢＢ遊技が開始されると、遊技者は多量の遊技メダルを獲得することができる。
【００４０】
また、いわゆる「小役」と呼ばれる遊技役も設けられている。先ず、ベルの小役という遊技役には、３つの回胴２０ａ，２０ｂ，２０ｃが何れも「ベル」の図柄で揃った図柄組合せが設定されており、このベルの小役の入賞成立に対する特典としては、１５枚の遊技メダルが遊技者に払い出されるように設定されている。次いで、スイカの小役という遊技役には、３つの回胴２０ａ，２０ｂ，２０ｃが何れも「スイカ」の図柄で揃った図柄組合せが設定されており、スイカの小役に対しては、１０枚の遊技メダルが遊技者に払い出される。そして、チェリーの小役という遊技役には、左回胴２０ａの図柄が「チェリー」の図柄であれば、中回胴２０ｂおよび右回胴２０ｃの図柄はどのような図柄であっても構わない図柄組合せが設定されており、チェリーの小役に対しては、２枚の遊技メダルが払い出される。
【００４１】
また、本実施例の遊技機１には、「再遊技役」という遊技役が設けられており、再遊技役には、３つの回胴２０ａ，２０ｂ，２０ｃが何れも「リプレイ」の図柄で揃った図柄組合せが設定されている。そして、再遊技役の入賞成立に対する特典としては、新たな遊技メダルをベットすることなく、もう一度、遊技を行う権利が付与される。すなわち、再遊技役の入賞成立時にベットしていた遊技メダルと同じ枚数だけ、遊技メダルがベットされたものとして、もう一度遊技を行うことが可能となる。
【００４２】
また、ＲＢ遊技が開始されると高い確率で入賞が成立するようになる増加役には、左回胴２０ａおよび右回胴２０ｃの図柄が「リプレイ」であり、中回胴２０ｂの図柄が「ベル」である図柄組合せが設定されており、増加役の入賞が成立すると、特典として、１５枚の遊技メダルが遊技者に払い出されるように設定されている。
【００４３】
もちろん、回胴２０ａ，２０ｂ，２０ｃが停止したときに、何れかの遊技役の入賞が成立するとは限らない。この場合は、再び規定枚数の遊技メダルをベットした後、スタートレバー３６を操作して回胴を回転させることによって、次のゲームを行う。本実施例の遊技機１では、こうした操作を繰り返し行うことによってゲームが進行するようになっている。こうした遊技の進行は、主制御基板２００に搭載されたＣＰＵ２０１によって制御されている。以下では、主制御基板２００のＣＰＵ２０１が遊技の進行を制御するために行っている処理内容について説明する。
【００４４】
Ｃ．回胴式遊技機の制御内容  ：
Ｃ−１．遊技制御処理  ：
図７は、本実施例の遊技機１において主制御基板２００のＣＰＵ２０１が遊技の進行を制御するために行う遊技制御処理の前半部分を示すフローチャートである。また、図８は、本実施例の遊技機１において主制御基板２００のＣＰＵ２０１が行う遊技制御処理の後半部分を示すフローチャートである。この遊技制御処理は、遊技機１に電源が投入されて、後述する電源投入処理が行われた後に実行される処理である。
【００４５】
図７に示すように、遊技制御処理を開始すると、先ず始めに遊技状態設定処理（ステップ１００。以下、ステップを「Ｓ」と略記する）を行う。遊技状態設定処理の詳細については後述するが、この処理では、大まかには次のような処理を行う。前述したように、本実施例の遊技機１では、ビッグボーナス遊技（ＢＢ遊技）や、ＢＢ遊技の中で実行されるレギュラーボーナス遊技（ＲＢ遊技）などの遊技状態が設けられており、遊技状態に応じて遊技役の入賞の成立し易さや、入賞の成立し得る遊技役の種類等が異なっている。遊技状態設定処理では、現在の遊技状態が何れであるかを検出するとともに終了条件が満たされたか否かを判断し、終了条件が満たされた場合には、その遊技状態を終了させて、遊技状態を切り換える処理を行う。こうして遊技状態を切り換えることで、遊技が単調になることを回避することが可能となる。
【００４６】
遊技状態設定処理に続いて、主制御基板２００のＣＰＵ２０１は、メダル投入確認処理を行う（Ｓ１０２）。メダル投入確認処理では、遊技メダル投入口３０から遊技メダルが投入されたか否か、あるいは遊技メダルがクレジットとして貯留されている場合に、投入ボタン３４が操作されたか否かを確認する。前述したように、投入された遊技メダルは、メダルセレクタ１０６に内蔵されたメダルセンサによって検出され、その検出信号が主制御基板２００に供給される。また、投入ボタン３４を操作した場合には、その操作信号が主制御基板２００に供給される。主制御基板２００のＣＰＵ２０１は、これらの信号に基づいて、遊技メダルが投入されたか否かを判断することができる。そして、規定枚数の遊技メダルが投入されたら、遊技を開始可能な状態になる。尚、投入ボタン３４が操作された場合には、遊技メダルの貯留枚数から投入枚数を減算する処理も同時に行われる。
【００４７】
上述のようにして遊技メダルの投入が確認できたら、スタートレバー３６を操作することによって何時でも遊技を開始することが可能となるが、その前に、精算ボタン４０が操作されたか否かの確認を行う（Ｓ１０４）。すなわち、遊技メダルをベットした後であっても、スタートレバー３６を操作して回胴２０ａ，２０ｂ，２０ｃを回転させる前であれば、ベットした遊技メダルも含めてメダルを精算することが可能となっている。そして、精算ボタン４０が操作されていた場合には（Ｓ１０４：ｙｅｓ）、精算処理を行うことにより、クレジットとして貯留されている遊技メダルおよび投入した遊技メダルを払い出す処理を行う（Ｓ１０６）。遊技メダルの払い出しは、主制御基板２００からメダル払出装置１１８に向けて、払い出すべき遊技メダルの枚数を指示する制御信号を出力することによって行われる。こうして遊技メダルを払い出したら、遊技の開始前の状態（Ｓ１００）に戻って、以降の処理を行う。
【００４８】
一方、精算ボタン４０が操作されていない場合には（Ｓ１０４：ｎｏ）、スタートレバー３６が操作されたか否かを判断する（Ｓ１０８）。前述したように遊技者がスタートレバー３６を操作すると、その操作信号が主制御基板２００に供給されるので、主制御基板２００は、スタートレバー３６の操作信号に基づいて、スタートレバー３６が操作されたか否かを判断することができる。そして、スタートレバー３６が操作されていない場合は（Ｓ１０８：ｎｏ）、遊技者が未だ遊技を開始していないものと判断されるので、精算ボタン４０の操作の有無を確認しながら（Ｓ１０４）、スタートレバー３６が操作されるまで待機する。一方、スタートレバー３６が操作されたら（Ｓ１０８：ｙｅｓ）、内部抽選処理を開始する（Ｓ１１０）。
【００４９】
内部抽選処理では、図６を用いて前述した遊技役の何れかの入賞成立を許容するか否かを、抽選によって決定する処理を行う。尚、この抽選で何れかの遊技役に当選した（入賞成立が許容された）としても、直ちに遊技役の入賞が成立するわけではなく、回胴停止ボタン３８ａ，３８ｂ，３８ｃを操作することにより、当選した遊技役に対応する図柄組合せを有効な入賞ライン上に揃えなければ遊技役の入賞を成立させることはできない。また逆に、抽選で当選した遊技役でなければ、どのようなタイミングで回胴停止ボタン３８ａ，３８ｂ，３８ｃを操作したとしても、有効な入賞ライン上に対応する図柄組合せを揃えることはできないようになっている。その意味で、この抽選は、図柄組合せを揃えて遊技役の入賞を成立させるための前提条件として、内部的に行われる抽選であることから「内部抽選」と呼ばれている。また、内部抽選に当選した状態は、内部当選状態（あるいは単に、内部当選）と呼ばれている。
【００５０】
この内部抽選は、抽選テーブルと呼ばれる専用のテーブルを用いて行われており、このテーブルには、遊技役と内部抽選用乱数との対応関係が設定されている。ここで内部抽選用乱数とは、主制御基板２００のＣＰＵ２０１がスタートレバー３６の操作信号を受け取ったときに取得する乱数である。本実施例の遊技機１では、内部抽選用乱数は２バイトデータとなっており、０〜６５５３５の範囲の乱数値を取ることが可能である。尚、この抽選用の乱数は、主制御基板２００に搭載された専用の乱数発生回路を用いてハードウェア的に生成することもできるし、乱数発生用のプログラムを用いてソフトウェア的に生成することも可能である。
【００５１】
図９は、最も一般的な遊技状態である通常遊技中に用いられる抽選テーブルを概念的に示した説明図である。図９（ａ）には、各遊技役に対して割り当てられた乱数の範囲がまとめて示されている。また、図９（ｂ）には、各遊技役に割り当てられた乱数範囲の大まかな比率が示されている。図示されているように、通常遊技用の抽選テーブルでは、「ベルの小役」に対しては０〜７０００の乱数値が設定されている。これは、取得した乱数値がこの範囲にあった場合には、ベルの小役に内部当選することを表している。同様に、「スイカの小役」に対しては７００１〜７２００の乱数値が設定され、「チェリーの小役」には７２０１〜７３００の乱数値が設定されている。また、「赤７のＢＢ役」に対しては７３０１〜７４００の乱数値が設定され、「青７のＢＢ役」には７４０１〜７５００の乱数値が設定されている。さらに、「再遊技役に対しては７５０１〜２００００の乱数値が設定されている。尚、２０００１〜６５５３５の乱数値には、何れの遊技役も設定されておらず、従って、取得した乱数値がこの範囲にあった場合は「ハズレ」となる。
【００５２】
内部抽選処理では、以上のようにして、スタートレバー３６が操作されたことを検出して内部抽選用乱数を取得するとともに、抽選テーブルを参照することにより、何れの遊技役に内部当選したか、若しくは何れの遊技役にも内部当選しなかったかを判断する。そして、何れかの遊技役に内部当選したら、当選した遊技役を内部当選フラグにセットする。ここで内部当選フラグとは、内部抽選の結果を記憶しておくために用いられるフラグであり、主制御基板２００に搭載されたＲＡＭ２０３の所定アドレスに設定されている。
【００５３】
図１０は、本実施例の遊技機１における内部当選フラグの構成を例示した説明図である。図示されているように、本実施例の遊技機１では、小役、再遊技役、増加役についての内部当選フラグ（小役等内部当選フラグ）と、ＢＢ役およびＲＢ役についての内部当選フラグ（ボーナス役内部当選フラグ）とに分けて記憶されており、それぞれに１バイト（８ビット）分の領域が確保されている。図１０（ａ）は、小役等内部当選フラグが設定される１バイト分の領域のデータ構造を例示した説明図である。図示されているように、１バイトデータのうち下位側の５ビット分が小役等内部当選フラグとして用いられている。これら５ビット中の先頭のビットは、ベルの小役に内部当選したことを記憶しておくためのビットであり、次のビットはスイカの小役に内部当選したことを記憶しておくためのビットである。以下の３つのビットも同様に、それぞれ、チェリーの小役、再遊技役、増加役に内部当選したことを記憶しておくために用いられるビットである。
【００５４】
また、図１０（ｂ）は、ボーナス役内部当選フラグが設定される１バイト分の領域のデータ構造を例示した説明図である。図示されているように、１バイトデータのうち下位側の３ビット分がボーナス役内部当選フラグとして用いられている。これら３ビット中の先頭のビットは、赤７のＢＢ役に内部当選したことを記憶しておくためのビットであり、次のビットは青７のＢＢ役に内部当選したことを記憶しておくためのビットである。更にその下位のビットは、ＲＢ役に内部当選したことを記憶しておくためのビットである。図７に示した内部抽選処理（Ｓ１１０）では、内部抽選用乱数を取得して、抽選テーブルを参照しながら、何れかの遊技役に内部当選しているか否かを判断し、何れかの遊技役に内部当選していれば、図１０に示した内部当選フラグの対応するビットに「１」を設定する処理を行う。尚、図１０（ｂ）に示されるように、ボーナス役内部当選フラグが設定される１バイトの最上位ビットは、後述する特殊回転フラグとして用いられている。詳細には後述するが、特殊回転フラグの対応するビットに「１」が設定されると（特殊回転フラグがＯＮになると）、３つの回胴２０ａ，２０ｂ，２０ｃが、通常とは異なる特殊な態様で回転するようになっている。
【００５５】
内部抽選処理を終了すると、主制御基板２００のＣＰＵ２０１は、その内部抽選処理でＢＢ役に内部当選したか否かを判断する（Ｓ１１２）。そしてＢＢ役に内部当選していた場合は（Ｓ１１２：ｙｅｓ）、図１０（ｂ）を用いて前述した特殊回転フラグをＯＮに設定する（ＳＳ１１４）。これに対して、ＢＢ役に内部当選していない場合は（Ｓ１１２：ｎｏ）、特殊回転フラグをＯＮに設定する処理は行わない。
【００５６】
続いて、主制御基板２００のＣＰＵ２０１は、回胴回転処理を開始する（図７のＳ１１６）。回胴回転処理では、所定の条件が満足されているか否かを判断して、条件が満たされている場合は、３つの回胴２０ａ，２０ｂ，２０ｃを回転させる処理を行う。回胴回転処理では、スタートレバー３６が操作され、且つ、前回に回胴２０ａ，２０ｂ，２０ｃの回転が開始されてから所定時間（例えば、４．１秒）を経過した場合に回胴の回転を開始することとして、各回胴２０ａ，２０ｂ，２０ｃにそれぞれ設けられた回胴モータ２４ａ，２４ｂ，２４ｃに対して駆動信号を出力することにより、３つの回胴２０ａ，２０ｂ，２０ｃを、規定の回転方向に、規定の回転速度で回転させる。また、図１０（ｂ）に示した特殊回転フラグがＯＮに設定されると、規定の回転方向あるいは規定の回転速度とは異なる特殊な態様で、各回胴２０ａ，２０ｂ，２０ｃを回転するようになっている。各回胴２０ａ，２０ｂ，２０ｃを回転させる態様については、後ほど詳しく説明する。
【００５７】
こうして３つの回胴２０ａ，２０ｂ，２０ｃを回転させたら、主制御基板２００のＣＰＵ２０１は、回胴の回転を停止させる処理（回胴回転停止処理）を行う（Ｓ１１８）。回胴回転停止処理の詳細については後述するが、この処理では、先に行われた内部抽選の結果（何れの遊技役に内部当選したか否か）や、遊技者によって回胴停止ボタン３８ａ，３８ｂ，３８ｃが操作されたタイミング、あるいは現在の遊技状態などに基づいて、３つの回胴２０ａ，２０ｂ，２０ｃのそれぞれの停止位置を決定し、決定した位置で停止させる処理を行う。
【００５８】
３つの回胴２０ａ，２０ｂ，２０ｃを停止させたら、遊技回数計数処理を行う（Ｓ１２０）。前述したように、本実施例のＢＢ遊技の中で開始されるＲＢ遊技は、所定回数の遊技（例えば、１２ゲーム）が行われると終了するように設定されている。そこで、遊技回数計数処理では、先ず、現在の遊技状態がＲＢ遊技か否かの判断を行う。そして、ＲＢ遊技中であると判断された場合には、３つの回胴２０ａ，２０ｂ，２０ｃを停止させたことによって遊技が１回消化されたことになるので、現在の遊技状態で行った遊技回数に「１」を加算する処理を行う。一方、ＲＢ遊技中ではないと判断された場合には、遊技回数の加算処理を行うことなく、そのまま遊技回数計数処理を終了する。
【００５９】
主制御基板２００のＣＰＵ２０１は、遊技回数計数処理に続いて、何れかの遊技役の入賞が成立したか否かを判断する（Ｓ１２２）。ここで、「遊技役の入賞が成立する」とは、遊技役に対応する図柄組合せが、入賞ライン上に揃って停止表示されることをいう。前述したように、本実施例の遊技機１では、内部抽選処理（Ｓ１１０）で何れかの遊技役に内部当選していても、回胴停止ボタン３８ａ，３８ｂ，３８ｃを押すタイミングによっては、その遊技役に対応する図柄組合せが入賞ライン上に揃うとは限らない。そこで、主制御基板２００は、回胴の回転を停止させた後、内部抽選で当選した遊技役の入賞が成立しているか否かを判断する。
【００６０】
そして、何れの遊技役の入賞も成立していないと判断された場合は（Ｓ１２２：ｎｏ）、その遊技は終了となり、図７の遊技制御処理の先頭に戻って、遊技状態設定処理が行われる（Ｓ１００）。尚、本実施例の遊技機１では、前述した内部抽選処理（Ｓ１１０）でビッグボーナス役（ＢＢ役）に当選した場合において、入賞ライン上に対応する図柄組合せが停止表示されず、ＢＢ役の入賞が成立しなかったときに限り、ＢＢ役の内部当選が持ち越され、次回の遊技以降もＢＢ役に対応する内部当選フラグがセットされている状態で遊技が行われる。これに対して、小役や再遊技役等の他の遊技役に内部当選した場合は、当選した遊技役に対応する図柄組合せを入賞ライン上に停止表示させることができなければ、その内部当選は次遊技以降に持ち越されることなくリセットされてしまう。
【００６１】
一方、何れかの遊技役の入賞が成立したと判断された場合は（Ｓ１２２：ｙｅｓ）、先ず始めに、入賞の成立した遊技役が、ＢＢ役であるか否かを判断する（図８のＳ１２４）。図６を用いて前述したように、ＢＢ役は、入賞ライン上に「赤セブン」の図柄が揃うか、「青セブン」の図柄が揃った場合に入賞が成立する遊技役である。そして、ＢＢ役の入賞が成立したと判断された場合は（Ｓ１２４：ｙｅｓ）、入賞の成立したＢＢ役の種類（「赤７のＢＢ役」あるいは「青７のＢＢ役」の何れであるか）に応じてＢＢ遊技フラグをＯＮに設定するとともに、他の遊技状態フラグを全てＯＦＦに設定する（Ｓ１２６）。ここで、ＢＢ遊技フラグとは、遊技状態を、前述したビッグボーナス遊技（ＢＢ遊技）と呼ばれる遊技者にとって有利な遊技状態とすることを示すフラグであり、現在の遊技状態を表すための「遊技状態フラグ」と呼ばれる専用のフラグの一種である。詳しくは後述するが、本実施例の遊技機１には、ＢＢ遊技、ＲＢ遊技といった遊技状態のそれぞれに対応する遊技状態フラグが設けられており、これら遊技状態フラグの設定（ＯＮ／ＯＦＦ）に応じて遊技状態を切り換えながら遊技が進行していく。こうした遊技状態フラグは、主制御基板２００に搭載されたＲＡＭ２０３の所定アドレスに設定されている。
【００６２】
図１１は、遊技状態フラグが設定される１バイト分の領域のデータ構造を例示した説明図である。本実施例の遊技機１では、ＲＡＭ２０３上の所定アドレスの１バイトデータのうち、下位側の４ビット分が遊技状態フラグとして用いられている。これら４ビットの先頭のビットが「赤７のＢＢ役」に対応するＢＢ遊技フラグ（以下、赤７のＢＢ遊技フラグ）に設定されており、その次のビットが「青７のＢＢ役」に対応するＢＢ遊技フラグ（以下、青７のＢＢ遊技フラグ）に設定されている。Ｓ１２６では、入賞の成立したＢＢ役の種類に応じて、何れかのビットに「１」を設定する。また、本実施例の遊技機１では、ＢＢ役の入賞が成立すると、何れの遊技状態であってもＢＢ遊技へと切り換えるようになっている。そこで、ＢＢ遊技フラグをＯＮに設定したら、ＢＢ遊技フラグ以外の遊技状態フラグをＯＦＦに設定する（すなわち、ＢＢ遊技フラグを除く全ての遊技状態フラグのビットに「０」を設定する）。こうしてＢＢ遊技フラグがＯＮにセットされた状態で遊技制御処理の先頭に戻って遊技状態設定処理（Ｓ１００）を開始すると、ＢＢ遊技フラグがＯＮになっていることが検出され、遊技状態がＢＢ遊技に切り換わって、上述した一連の処理が行われる。Ｓ１００において、ＢＢ遊技フラグに基づいて遊技状態をＢＢ遊技に切り換える処理の詳細については後述する。
【００６３】
以上では、入賞の成立した遊技役がＢＢ役であった場合（図８のＳ１２４：ｙｅｓ）に行われる処理について説明したが、入賞の成立した遊技役がＢＢ役ではなかった場合には（Ｓ１２４：ｎｏ）、次いで、入賞成立した遊技役がＲＢ役か否かを判断する（Ｓ１２８）。図６を用いて前述したように、ＲＢ役は、入賞ライン上に「バー」の図柄が揃った場合に入賞が成立する遊技役である。そして、ＲＢ役の入賞が成立したと判断された場合には（Ｓ１２８：ｙｅｓ）、ＲＢ遊技フラグをＯＮに設定する（Ｓ１３０）。ここで、ＲＢ遊技フラグとは、遊技状態を、前述したレギュラーボーナス遊技（ＲＢ遊技）とすることを示す遊技状態フラグである。図１１に示した遊技状態フラグに用いられる４ビットのうち、先頭から３番目のビットがＲＢ遊技フラグに設定されており、ＲＢ遊技フラグをＯＮにする場合には、このビットに「１」を設定する。尚、本実施例の遊技機１では、ＢＢ遊技の中でＲＢ遊技が行われることから、ＲＢ遊技がＯＮに設定されても、ＢＢ遊技フラグはＯＮに設定されたままとなっている。そしてＲＢ遊技フラグ（およびＢＢ遊技フラグ）がＯＮにセットされた状態で遊技制御処理の先頭に戻って遊技状態設定処理（Ｓ１００）を開始すると、ＲＢ遊技フラグ（およびＢＢ遊技フラグ）がＯＮになっていることが検出されて、ＲＢ遊技が開始される。
【００６４】
これに対して、入賞の成立した遊技役がＲＢ役ではなかった場合には（Ｓ１２８：ｎｏ）、今度は、入賞の成立した遊技役が再遊技役か否かを判断する（Ｓ１３２）。そして、再遊技役の入賞が成立していた場合は（Ｓ１３２：ｙｅｓ）、再遊技フラグをＯＮに設定する（Ｓ１３４）。ここで、再遊技フラグとは、再遊技役の入賞が成立したことを記憶しておくためのフラグである。この再遊技フラグがＯＮにセットされていると、次回の遊技のメダル投入確認処理（図７のＳ１０２）において、遊技者によって投入されなくても自動的に遊技メダルが再投入される。また、メダル投入確認処理が遊技メダルを自動的に再投入した後は、再遊技フラグの設定はＯＦＦに戻される。このような再遊技フラグも、前述した遊技状態フラグと同様に、主制御基板２００に搭載されたＲＡＭ２０３の所定アドレスに設定されている。本実施例の遊技機１では、図１１に示したように、遊技状態を示す４ビット分のビットデータの中で最下位のビットが再遊技フラグに設定されている。
【００６５】
一方、入賞の成立した遊技役が再遊技役ではなかった場合は（Ｓ１３２：ｎｏ）、何かの遊技役の入賞が成立しているものの（図７のＳ１２２：ｙｅｓ）、その遊技役は、ＢＢ役、ＲＢ役、再遊技役の何れでもないことから、小役または増加役であると判断される。そこで、入賞の成立した遊技役に応じた枚数の遊技メダルを払い出す処理を行う（Ｓ１３６）。すなわち、入賞の成立した小役がベルの小役であれば、１５枚の遊技メダルを払い出し、スイカの小役であれば１０枚の遊技メダルを払い出し、チェリーの小役であれば２枚の遊技メダルを払い出す処理を行う。また、増加役の入賞が成立した場合には、１５枚の遊技メダルを払い出す処理を行う。この処理は、主制御基板２００の内部で払い出すべき遊技メダルの枚数を求めた後、主制御基板２００からメダル払出装置１１８に対して制御信号を出力することによって行われる。
【００６６】
こうして遊技メダルを払い出すと、主制御基板２００のＣＰＵ２０１は、払出枚数計数処理を行う（Ｓ１３８）。前述したように、本実施例のＢＢ遊技は、上限枚数（例えば、４００枚）の遊技メダルが払い出されると終了するように設定されていることから、ＢＢ遊技の開始後に払い出された遊技メダルの枚数（払出枚数）を計数しておく必要がある。そこで、払出枚数計数処理では、先ず、現在の遊技状態がＢＢ遊技であるか否かを判断して、ＢＢ遊技中であると判断された場合には、Ｓ１３６の処理で払い出した遊技メダルの枚数を、既に払い出した枚数（払出枚数）に加算する処理を行う。一方、ＢＢ遊技中ではないと判断された場合には、払出枚数を加算する処理を行うことなく、そのまま払出枚数計数処理を終了する。
【００６７】
払出枚数計数処理に続いて、主制御基板２００のＣＰＵ２０１は、入賞回数計数処理を行う（Ｓ１４０）。前述したように、ＢＢ遊技の中で行われるＲＢ遊技は、所定回数だけ遊技役の入賞（例えば、８回入賞）が成立するとＢＢ一般遊技に復帰するようになっている。後述のように本実施例のＲＢ遊技中は、ＢＢ役やＲＢ役の入賞が成立しないように設定されており、また、再遊技役の入賞成立は回数に含めないことになっていることから、ＲＢ遊技中に遊技メダルの払い出しが行われた回数を計数することによって、遊技役（小役または増加役）の入賞が成立した回数（入賞回数）を計数することができる。そこで、入賞回数計数処理では、現在の遊技状態がＲＢ遊技であるか否かを判断し、ＲＢ遊技中であると判断された場合は、ＲＢ遊技中の入賞回数に「１」を加算する処理を行う。一方、ＲＢ遊技中ではないと判断された場合には、入賞回数の加算処理を行うことなく、そのまま入賞回数計数処理を終了する。こうして入賞回数計数処理を行ったら、図７および図８に示した遊技制御処理の先頭に戻って、新たな遊技を開始する。
【００６８】
Ｃ−２．遊技状態設定処理  ：
図１２は、本実施例の遊技機１が行う遊技状態設定処理を示すフローチャートである。遊技状態設定処理を開始すると、先ず始めに主制御基板２００のＣＰＵ２０１は、図１１に示した遊技状態フラグを参照して、ＢＢ遊技フラグ（赤７のＢＢ遊技フラグ、青７のＢＢ遊技フラグの何れか）がＯＮに設定されているか否かを判断する（Ｓ２００）。前述したように、ＢＢ遊技フラグは、遊技状態をＢＢ遊技とすることを示す遊技状態フラグであり、ＢＢ役（赤７のＢＢ役、青７のＢＢ役の何れか）の入賞が成立したと判断された場合に（図８のＳ１２４：ｙｅｓ参照）、入賞の成立したＢＢ役の種類に応じて赤７のＢＢ遊技フラグあるいは青７のＢＢ遊技フラグの何れかがＯＮの状態に設定される（Ｓ１２６参照）。
【００６９】
何れかのＢＢ遊技フラグがＯＮに設定されていると判断された場合は（Ｓ２００：ｙｅｓ）、ＢＢ遊技の終了条件が満たされているか否かを判断する（Ｓ２０２）。本実施例では、ＢＢ遊技の終了条件として、ＢＢ遊技の開始後に払い出した遊技メダルの枚数が設定されており、払い出した遊技メダルの枚数が所定枚数（例えば、４００枚）に達するとＢＢ遊技が終了するように設定されている。図７および図８を用いて前述した遊技制御処理では、払い出した遊技メダルの枚数を計数しており（図８のＳ１３８）、従って、ＢＢ遊技開始後に払い出した遊技メダルの枚数が所定枚数に達すると、そのことを直ちに検出することができる。そして、所定枚数の遊技メダルを払い出した場合は、ＢＢ遊技の終了条件が成立したと判断して（Ｓ２０２：ｙｅｓ）、ＢＢ遊技フラグおよびＲＢ遊技フラグをＯＦＦに設定する（Ｓ２０４）。図１１を用いて前述したように、ＢＢ遊技フラグは、遊技状態がＢＢ遊技である場合にＯＮに設定されるフラグである。また、ＲＢ遊技フラグは、ＢＢ遊技中にＲＢ遊技が発生した場合にＯＮに設定されるフラグである。Ｓ２０４では、ＢＢ遊技の終了条件が成立したことに伴って、ＢＢ遊技を終了させるべくＢＢ遊技フラグをＯＦＦに設定するとともに、そのＢＢ遊技中にＲＢ遊技が行われていた場合を考慮して、念のためにＲＢ遊技フラグもＯＦＦに設定している。
【００７０】
一方、ＢＢ遊技の終了条件が満たされていないと判断された場合は（Ｓ２０２：ｎｏ）、ＲＢ遊技フラグがＯＮに設定されているか否かを判断する（Ｓ２０６）。前述した遊技制御処理で説明したように、ＲＢ遊技フラグは、ＢＢ遊技中にＲＢ役の入賞が成立すると（図８のＳ１２８：ｙｅｓ）、ＯＮに設定されるフラグである（Ｓ１３０）。判断の結果、ＲＢ遊技フラグがＯＮに設定されていない場合は（Ｓ２０６：ｎｏ）、ＢＢ一般遊技用抽選テーブルを選択する（Ｓ２１２）。前述したように、本実施例のＢＢ遊技は、ＢＢ一般遊技とＲＢ遊技とによって構成されており、ＲＢ遊技フラグがＯＮに設定されていないことから、現在の遊技状態はＢＢ一般遊技であると判断して、ＢＢ一般遊技用の抽選テーブルを選択するのである。
【００７１】
図１３は、ＢＢ一般遊技用に用いられる抽選テーブルを概念的に示した説明図である。図１３（ａ）には、各遊技役に対して割り当てられた乱数の範囲が示されており、図１３（ｂ）には、各遊技役に割り当てられた乱数範囲の大まかな比率が示されている。図１３に示したＢＢ一般遊技用抽選テーブルも、図９を用いて前述した通常遊技用抽選テーブルとほぼ同様であるが、通常遊技用抽選テーブルに対して、ＢＢ一般遊技用抽選テーブルには、「赤７のＢＢ役」、「青７のＢＢ役」、「再遊技役」の遊技役が設定されておらず、それら遊技役の乱数範囲に「ＲＢ役」が設定された抽選テーブルとなっている。従って、ＢＢ一般遊技では、比較的高い確率でＲＢ役に内部当選することになり、そしてＲＢ役に対応する図柄組合せ（図６参照）が揃うと、ＲＢ役の入賞が成立したと判断されて（図８のＳ１２８：ｙｅｓ）、ＲＢ遊技フラグがＯＮに設定される（Ｓ１３０）。その結果、次回に行われる遊技状態設定処理のＳ２０６の判断では、ＲＢ遊技フラグがＯＮに設定されている（Ｓ２０６：ｙｅｓ）と判断されることになる。
【００７２】
こうして、ＲＢ遊技フラグがＯＮに設定されていることが確認されると（Ｓ２０６：ｙｅｓ）、ＲＢ遊技の終了条件が満たされたか否かを判断した後（Ｓ２０８）、ＲＢ遊技の終了条件が満たされていない場合は（Ｓ２０８：ｎｏ）、ＲＢ遊技用抽選テーブルを選択する（Ｓ２１４）。ここで、本実施例の遊技機１では、ＲＢ遊技の終了条件として、ＲＢ遊技開始後の遊技役の入賞成立回数が所定回数（例えば、８回）に達すること、ＲＢ遊技開始から所定回数（例えば、１２ゲーム）の遊技が行われることの２つの終了条件が設定されており、何れか一方の条件が成立すると、ＲＢ遊技の終了条件が成立したと判断される。図７および図８を用いて前述したように、本実施例の遊技機１では、遊技制御処理において、３つの回胴が停止表示されて何らかの図柄組合せが得られる度に、遊技回数を計数するとともに（図７のＳ１２０）、遊技役の入賞が成立して遊技メダルが払い出される度に入賞回数を計数している（図８のＳ１４０）。従って、主制御基板２００のＣＰＵ２０１は、ＲＢ遊技を開始してからの遊技回数が所定回数に達するか、あるいは入賞成立回数が所定回数に達すると、直ちにこれを検出して、ＲＢ遊技の終了条件が成立したことを検出することができる。
【００７３】
図１４は、ＲＢ遊技用に用いられる抽選テーブルを概念的に示した説明図である。図１４（ａ）には、各遊技役に対して割り当てられた乱数範囲が示されており、図１４（ｂ）には、各遊技役に割り当てられた乱数範囲の大まかな比率が示されている。図１３に示したＢＢ一般遊技用抽選テーブルと比較すると明らかなように、図１４のＲＢ遊技用抽選テーブルも、ＢＢ一般遊技用抽選テーブルと同様に、「赤７のＢＢ役」、「青７のＢＢ役」、「再遊技役」の遊技役は設定されていない。しかし、ＲＢ遊技用抽選テーブルでは、ＢＢ一般遊技用抽選テーブルで「ＲＢ役」に設定されていた乱数範囲の全てと、「ハズレ」に設定されていた乱数範囲の一部とに「増加役」が設定されている。図６を用いて前述したように、「増加役」の入賞が成立すると、１５枚の遊技メダルが払い出されることから、ＲＢ遊技中は高い確率で増加役の入賞が成立し、入賞成立の度に１５枚の遊技メダルが払い出されることになる。
【００７４】
これに対して、Ｓ２０８の判断で、ＲＢ遊技の終了条件が満たされたと判断された場合は（Ｓ２０８：ｙｅｓ）、ＲＢ遊技を終了するべく、ＲＢ遊技フラグをＯＦＦに設定した後（Ｓ２１０）、図１３を用いて前述したＢＢ一般遊技用抽選テーブルを選択する（Ｓ２１２）。その結果、ＲＢ遊技を終了すると、前述したＢＢ一般遊技状態に戻って遊技が継続されることになる。
【００７５】
以上では、ＢＢ遊技フラグがＯＮに設定されていると判断された場合（Ｓ２００：ｙｅｓ）について説明した。これに対して、ＢＢ遊技フラグがＯＮに設定されていなかった場合（Ｓ２００：ｎｏ）、図９を用いて前述した通常遊技用抽選テーブルを選択した後（Ｓ２１６）、図１２の遊技状態設定処理を終了して、図７および図８の遊技制御処理に復帰する。
【００７６】
以上に説明したように、遊技制御処理が開始されて最初に行われる遊技状態設定処理（Ｓ１００）では、遊技状態フラグの設定に応じて適切な抽選テーブルを選択する処理が行われる。そして、遊技状態設定処理で何れの抽選テーブルが選択されたかによって、内部抽選で当選可能な遊技役の種類や遊技役の当選し易さが切り換わるようになっている。
【００７７】
また、図７を用いて前述したように、スタートレバー３６が操作されると、内部抽選が行われた後（Ｓ１１０）、３つの回胴２０ａ，２０ｂ，２０ｃの回転が開始されるが（Ｓ１１６）、本実施例の遊技機１では、内部抽選でＢＢ役に当選していた場合には、通常とは異なる特殊な態様で回転するようになっている。以下では、回胴２０ａ，２０ｂ，２０ｃを回転させるために行われる回胴回転処理（Ｓ１１６）について説明する。
【００７８】
Ｃ−３．回胴回転処理  ：
図１５は、本実施例の遊技機１が回胴２０ａ，２０ｂ，２０ｃを回転させるために行う回胴回転処理を示したフローチャートである。この処理は、図７に示した遊技制御処理の中で主制御基板２００のＣＰＵ２０１によって実行される処理である。図示されるように、回胴回転処理を開始すると、先ず始めに、特殊回転フラグがＯＮに設定されているか否かを判断する（Ｓ３００）。特殊回転フラグとは、ＢＢ役に内部当選した場合にＯＮに設定されるフラグであり、図１０（ｂ）を用いて前述したように、ボーナス役内部当選フラグが設定されるＲＡＭ２０３の１バイト領域の最上位ビットが、特殊回転フラグに割り当てられている。そして、このビットに「１」が記憶されると、特殊回転フラグがＯＮに設定される。
【００７９】
その結果、特殊回転フラグがＯＮに設定されていないと判断された場合は（Ｓ３００：ｎｏ）、通常加速を行った後（Ｓ３０２）、続いて、通常回転を開始する（Ｓ３０４）。ここで、通常回転とは、表示窓２０から見たときに、図柄が上から下へと移動する方向（以下、正方向と呼ぶ）に、所定の回転速度（本実施例では７９．８９８回転／分）で定速回転する動作を言う。また、通常加速とは、３つの回胴２０ａ，２０ｂ，２０ｃを、停止した状態から、正方向に所定の回転速度で通常回転する状態まで、加速させる動作を言う。尚、通常加速が行われると必ず続いて通常回転が開始され、また、通常回転が行われる直前には必ず通常加速が行われているといったように、通常加速と通常回転とはセットで行われることから、本実施例では、「通常加速」およびそれに続く「通常回転」をまとめて「通常駆動」と称することがあるものとする。また、本実施例の「所定の回転速度」が本発明における「規定回転速度」に対応しており、本実施例の「正方向の回転方向」が本発明における「規定方向」に対応している。
【００８０】
図１６は、回胴２０ａ，２０ｂ，２０ｃが、通常加速に続いて通常回転する様子を概念的に示した説明図である。図示されるように、通常加速が開始されると、回胴２０ａ，２０ｂ，２０ｃの回転速度は正方向に増加していき、速やかに所定の回転速度に到達する。すると、今度は通常回転が開始されて、その回転速度が維持されるようになっている。また、このような態様で回胴２０ａ，２０ｂ，２０ｃを回転させるために、本実施例では、回胴２０ａ，２０ｂ，２０ｃを回転させるステップモータを次のようにして駆動する。
【００８１】
図１７は、回胴２０ａ，２０ｂ，２０ｃを通常駆動させる際のステップモータの駆動方法を示した説明図である。周知のようにステップモータは、複数設けられた励磁状態を、次々と切り換えていくことによって回転しており、励磁状態を切り換える速度を変えれば、モータの回転速度を変更することが可能である。また、励磁状態を切り換える順序を逆にすれば、モータを逆回転することが可能であり、更に、同じ励磁状態で保持すれば、その位置でモータの回転を止めておくことも可能である。本実施例では、０層〜３層を１−２相励磁方式にて切り換え可能なステップモータが採用されており、回胴２０ａ，２０ｂ，２０ｃを通常駆動させる際には、励磁１〜励磁８までの８つの励磁状態（図１８参照）を、図１７に示したようにして切り換えていく。
【００８２】
先ず始めは、励磁状態を励磁１の状態として、その状態で、９０回のタイマー割り込みが発生するまで保持する。すなわち、本実施例では１．４９ｍｓｅｃ毎に１回の頻度でタイマー割り込みを発生させており、そのタイマー割り込みが９０回発生するまで、励磁１の状態を保持することとしている。図１７の一番上の欄には、ステップ１として、タイマー割り込みのカウント値が「９０」に達するまで、励磁１の状態で保持する旨が示されている。
【００８３】
励磁１の励磁状態で、タイマー割り込みのカウント値が「９０」に達するまで保持したら、励磁状態を励磁２の状態に切り換えて、その状態でカウント値が「１５」に達するまで保持する。図１７のステップ２には、タイマー割り込みのカウント値が「１５」に達するまで、励磁２の状態で保持する旨が示されている。尚、ステップ１の励磁１からステップ２の励磁２に向かう矢印に（＋）と表示されているのは、励磁１から励磁２への切り換えが、正方向（回胴２０ａ，２０ｂ，２０ｃを正方向に回転させる）方向の切り換えであることを表している。続くステップ３では、励磁状態を励磁３に切り換えて、その状態をカウント値が「７」に達するまで保持する。更にステップ４では、励磁状態を励磁４に切り換えて、その状態をカウント値が「７」に達するまで保持する。
【００８４】
このように、回胴２０ａ，２０ｂ，２０ｃを通常回転動作させる際には、図１７に示したステップ１〜ステップ１８の１８段階に分けて、少しずつカウント値の設定を減少させながら、タイマー割り込みの発生回数がカウント値に達する度に、励磁状態を正方向に順番に切り換えていく。これに伴ってステップモータの回転速度（すなわち、回胴２０ａ，２０ｂ，２０ｃの回転速度）は次第に正方向に加速していき、最後のステップ１８で最高回転速度に達する。通常加速では、このようにしてカウント値の設定を少しずつ減少させながら、タイマー割り込みの発生回数がカウント値に達する度に励磁状態を正方向に切り換えることによって、ステップモータを駆動する。そして、最高回転速度に達した後は、カウント値の設定を「１」に保ったまま（従って、タイマー割り込みが発生する度に）、励磁状態を切り換える。その結果、ステップモータ（すなわち、回胴２０ａ，２０ｂ，２０ｃ）は、最高回転速度のまま一定速度で正方向に回転し続けることになって、通常回転が開始される。尚、ここでは、駆動開始時点で、ステップモータのロータ（回転軸）が、励磁１に対応する位置にあるものとして説明したが、駆動開始時のロータの位置が励磁１以外に対応する位置にある場合には、その位置に対応する励磁状態から、正方向に励磁状態を順番に切り換えていけばよい。
【００８５】
主制御基板２００のＲＯＭ２０２には、図１７に示すようなステップモータの駆動方法（駆動スケジュール）が予め記憶されている。そして、図１５に示した回胴回転処理のＳ３０２では、主制御基板２００のＣＰＵ２０１が、ＲＯＭ２０２に記憶された通常加速用の駆動スケジュールを読み出した後、図１７に示したステップ１〜ステップ１８に従って、励磁１〜励磁８までの励磁状態を正方向に順番に切り換えることで、回胴２０ａ，２０ｂ，２０ｃの回転速度を正方向に速やかに加速させる。そして、最高回転速度に達すると、今度は、通常回転を開始する（Ｓ３０４）。通常回転では、通常加速で最終的に達したカウント値の設定を保ったまま、励磁状態を正方向に切り換えることによって、通常加速で達した最高回転速度を維持する処理を行う。尚、図示の関係上、図１６では比較的ゆっくりと回転速度が増加するように表示されているが、図１７に従って加速させた場合、停止状態から最高回転速度に達するまで、全カウント値にして「１６６」、時間にして２４７．３４ｍｓｅｃ（＝１．４９ｍｓｅｃ×１６６）しかかからず、極めて速やかに加速させることが可能である。なお、２４７．３４ｍｓｅｃは、ステップモータのステップ数にして１８ステップ分に相当する。
【００８６】
尚、３つの回胴２０ａ，２０ｂ，２０ｃが停止している状態から、所定の回転速度まで正方向に加速させた後（通常加速）、その回転速度を維持して通常回転を行う処理は、図１５に示した回胴回転処理の中で行われている。この回胴回転処理は、主制御基板２００に搭載されたＣＰＵ２０１によって実行されていることから、本発明の主制御基板２００に搭載されたＣＰＵ２０１は、本発明における「通常加速実行手段」および「通常回転実行手段」に対応している。
【００８７】
一方、図１５に示した回胴回転処理の最初の判断で、特殊回転フラグがＯＮに設定されていると判断された場合は（Ｓ３００：ｙｅｓ）、回胴２０ａ，２０ｂ，２０ｃを上述した通常駆動（すなわち、通常加速とそれに続く通常回転）とは異なる態様で加速させ、異なる態様で回転させるべく、以下に説明する特殊駆動実行処理を開始する（Ｓ３０４）。
【００８８】
図１９は、回胴２０ａ，２０ｂ，２０ｃを通常駆動とは異なる態様で加速させて、回転させるために行われる特殊駆動実行処理を示したフローチャートである。特殊駆動実行処理（Ｓ３０６）を開始すると、先ず始めに、特殊駆動の態様を決定する（Ｓ３５０）。ここで、特殊駆動の態様とは、回胴２０ａ，２０ｂ，２０ｃを停止状態から加速させて、一定速度で回転させた後、停止状態まで減速させて、停止状態を保持する態様である。停止状態からの加速は、前述した通常加速とは異なる態様で行われ（特殊加速）、加速後に開始される定速回転についても、前述した通常回転とは回転速度あるいは回転方向の少なくとも一方が異なる態様で行われる（特殊回転）。更に、このような特殊回転は、前述した通常駆動（通常加速および通常回転）に先立って行われ、通常加速は回胴２０ａ，２０ｂ，２０ｃが停止した状態から開始されるから、特殊回転後は、回胴２０ａ，２０ｂ，２０ｃを一旦停止させるために、回転速度を減速させて、停止状態を保持する操作が必ず行われる。そこで、本実施例では、通常加速および通常回転をまとめて「通常駆動」と称することに倣って、特殊加速に続いて特殊回転を行った後、停止状態まで減速させて、停止状態を保持する動作をまとめて「特殊駆動」と称することとしている。
【００８９】
本実施例では、特殊駆動の態様として、２種類の態様が設けられていることから、図１９に示した特殊駆動実行処理を開始すると、先ず始めに、Ｓ３５０で、何れの態様で駆動させるかを決定するのである。尚、決定に際しては、乱数を用いた抽選を行って決定しても良いし、あるいは遊技状態に応じて（例えば特殊回転フラグをＯＮに設定する原因となったＢＢ役の内部当選が、赤７のＢＢ役か、青７のＢＢ役かに応じて）、特殊駆動態様を決定しても良い。また、異なる特殊駆動態様に応じて特殊回転フラグを各々設定する場合（特殊回転フラグＡ、Ｂ等が存在する場合）は、設定されている特殊回転フラグを基に特殊駆動態様を決定しても良い。なお、ここで決定された特殊駆動態様は、主制御基板２００に搭載されたＲＡＭ２０３に「特殊駆動態様情報」として記憶され、後述の電断が発生した場合であってもＲＡＭ２０３に保持される。
【００９０】
図２０は、本実施例の遊技機１に設けられた特殊駆動態様を例示した説明図である。図２０（ａ）には、態様Ａの特殊駆動（特殊駆動態様Ａ）が示されており、図２０（ｂ）には、態様Ｂの特殊駆動（特殊駆動態様Ｂ）が示されている。始めに、図２０（ａ）を参照して態様Ａの特殊駆動について説明する。態様Ａの特殊回転動作を開始すると、回転速度が速やかに負方向に増加する態様の特殊加速を行い、所定の回転速度に達すると、所定の定速駆動時間Ｉa だけその回転速度を維持することによって特殊回転を行うようになっている。ここで、負方向の回転とは、表示窓２０から見たときに、回胴２０ａ，２０ｂ，２０ｃの図柄が下から上へと移動するような回転方向である。そして、定速駆動時間Ｉa が経過したら、負方向の回転速度を速やかに減速させて特殊減速を行うことにより、回胴２０ａ，２０ｂ，２０ｃを一旦停止させた後、所定の停止時間Ｓa だけ停止状態を保持する。また、詳細には後述するが、図１５に示す本実施例の回胴回転処理では、以上のようにして態様Ａの特殊駆動を終了すると、通常駆動が開始されるようになっている。このことに対応して、図２０（ａ）では、態様Ａの特殊駆動に続いて開始される通常駆動が破線によって表されている。
【００９１】
また、態様Ｂの特殊駆動の場合には、図２０（ｂ）に示されているように、回転速度を速やかに正方向に増加させて特殊加速を行った後、所定の回転速度に達すると、その回転速度を維持することによって、所定の定速駆動時間Ｉb1だけ、特殊回転を行う。このときの回転速度は、前述した通常回転時の回転速度よりも遅い速度となっている。そして、定速駆動時間Ｉb1が経過したら、正方向の回転速度を速やかに減少させて特殊減速を行った後、所定の停止時間Ｓb1だけ、停止状態を保持する。その後、再び正方向に加速して２回目の特殊加速を行った後、１回目の特殊回転よりもゆっくりとした速度で定速回転させる２回目の特殊回転を、所定の定速駆動時間Ｉb2だけ行う。そして、定速駆動時間Ｉb2が経過したら、速やかに回転速度を減少させて２回目の特殊減速を行った後、所定の停止時間Ｓb2だけ停止状態を保持する。このように、特殊駆動態様Ｂでは、特殊加速と、それに続く特殊回転を行った後、特殊減速を行って停止状態を保持する動作が２回行われる。また、後述するように、態様Ｂの特殊駆動を終了した場合も、続いて通常駆動が開始されるようになっている。このことに対応して、図２０（ｂ）においても、態様Ｂの特殊駆動に続いて開始される通常駆動が破線によって表されている。
【００９２】
図１９に示した特殊駆動実行処理を開始すると、このような特殊駆動態様の中から、態様Ａまたは態様Ｂの何れかの駆動態様を決定する（Ｓ３５０）。続いて、駆動時間の計時を開始した後（Ｓ３５２）、決定した特殊駆動態様に応じて、特殊加速、特殊回転、特殊減速、および停止保持を実行する（Ｓ３５４）。特殊駆動態様に応じた特殊加速や、それに続く特殊回転、特殊減速、および停止保持は、予め設定されている駆動スケジュールに従って行う。ここで駆動スケジュールとは、図１７を用いて前述したように、回胴２０ａ，２０ｂ，２０ｃを回転させるためにステップモータを駆動する駆動方法である。本実施例では、特殊駆動態様として、図２０（ａ）に示した態様Ａと、図２０（ｂ）に示した態様Ｂの２種類の駆動態様が設けられていることに対応して、主制御基板２００のＲＯＭ２０２には、それぞれの駆動態様の特殊加速、特殊回転、特殊減速、および停止保持毎に、対応する駆動スケジュールが予め記憶されている。
【００９３】
図２１は、態様Ａの特殊駆動（特殊加速、特殊回転、特殊減速、停止保持）に対応するステップモータの駆動スケジュールを示した説明図である。また、図２２は、態様Ｂの特殊駆動（特殊加速、特殊回転、特殊減速、停止保持）に対応するステップモータの駆動スケジュールを示した説明図である。各駆動スケジュールの内容については、後ほど詳しく説明するが、ここでは、態様Ａの特殊駆動に対応する駆動スケジュールを例に用いて説明する。
【００９４】
前述したように、態様Ａの特殊駆動では、特殊加速と、特殊回転と、特殊減速と、停止保持とが行われるから、このことと対応して態様Ａの駆動スケジュールも、図２１に示すように、回胴２０ａ，２０ｂ，２０ｃを負方向に特殊加速させるための駆動スケジュールと、続いて特殊回転させるための駆動スケジュールと、負方向の回転を特殊減速させるための駆動スケジュールと、停止状態で保持するための駆動スケジュールとから構成されている。
【００９５】
図２１中の左上に示した特殊加速用の駆動スケジュールでは、ステップ１〜ステップ１８の１８ステップから構成されており、１８段階に分けて、回胴２０ａ，２０ｂ，２０ｃを負方向に加速させていく。すなわち、先ず始めにステップ１では、励磁状態を励磁１の状態として、その状態で、タイマー割り込みの発生回数をカウントしながら、カウント値が「９０」に達するまで保持する。そして、タイマー割り込みのカウント値が「９０」に達したらステップ２に移行して、励磁状態を励磁１から励磁８の状態に切り換える。すなわち、図１７を用いて前述した通常加速では、回胴２０ａ，２０ｂ，２０ｃを正方向に回転させるために、励磁１から励磁２の状態に切り換えたが、態様Ａの特殊加速では、回胴２０ａ，２０ｂ，２０ｃを負方向に回転させるので、励磁１から逆方向の励磁８の状態に切り換えるのである。そしてステップ２では、励磁８の状態でタイマー割り込みのカウント値が「１５」に達するまで保持した後、今度は、励磁８の状態から励磁７の状態に切り換えて（ステップ３）、カウント値が「７」に達するまで保持する。
【００９６】
このように、図２１中の左上に示した特殊加速用の駆動スケジュールには、ステップ１から、ステップ２、ステップ３へと、カウント値の設定を少しずつ減少させながら、励磁状態を負方向に順番に切り換えていく旨が設定されている。そしてステップ１８に達すると、カウント値が「１」となり、励磁状態が励磁１から励磁８の状態に切り換わる。図２０（ａ）に示した特殊駆動態様Ａの中で、停止している回胴２０ａ，２０ｂ，２０ｃを、負方向に加速させる特殊加速は、このようにしてステップモータを駆動することによって実現されている。
【００９７】
尚、ここでも、ステップモータのロータ（回転軸）が、駆動開始時点では、励磁１に対応する位置にあるものとして説明したが、駆動開始時のロータの位置が励磁１以外に対応する位置にある場合には、その位置に対応する励磁状態から、負方向に励磁状態を順番に切り換えていけばよい。また、図１７に示した通常加速用の駆動方法と、図２１に示した態様Ａの特殊加速用の駆動方法とを比較すれば明らかなように、どちらの場合も、カウント値９０からカウント値１までを、ステップ１〜ステップ１８の１８段階で変化させている。従って、通常加速と、態様Ａの特殊加速とは、回転方向が逆であるものの、同じ時間（２４７．３４ｍｓｅｃ＝１．４９ｍｓｅｃ×１６６）をかけて、同じ回転速度（本実施例では７９．８９８回転／分）まで加速していることになる。
【００９８】
そして、特殊加速用の駆動スケジュールのステップ１８に達すると、特殊加速を終了して特殊回転が開始される。特殊回転では、ステップ１８で到達したカウント値「１」が保持されて、タイマー割り込みが発生する度に、励磁状態が負方向に（すなわち、励磁１→励磁８→励磁７→・・・・・→励磁２→励磁１）順番に切り換えられる。その結果、回胴２０ａ，２０ｂ，２０ｃが、特殊加速によって最終的に達した回転状態（負方向に一定回転で回転する状態）を維持したまま、定速回転することになる。図２１中で左上のテーブルの隣に（特殊回転）と表示されているのは、このようにカウント値を一定値としたまま（ここでは、カウント値「１」に保ったまま）励磁状態を順番に切り換えることで、回胴２０ａ，２０ｂ，２０ｃを一定速度で回転させていることを表している。
【００９９】
そして、図２０（ａ）に示されているように、態様Ａの特殊駆動では、一定速度の特殊回転を行っている状態が、駆動開始から時間Ｔa1が経過するまで継続される。このことと対応して、態様Ａの特殊回転の駆動スケジュールには、駆動開始後、時間Ｔa1が経過したら、次の特殊減速を開始する旨が設定されている。前述したように、図１９に示した特殊駆動実行処理では、駆動スケジュールに従ってステップモータの駆動を開始するに先立って、駆動時間の計時を開始しており（Ｓ３５２）、この計時時間が時間Ｔa1に達すると、特殊回転を終了して、次の特殊減速を開始する。
【０１００】
回胴２０ａ，２０ｂ，２０ｃを特殊減速させるための駆動スケジュールは、図２１中の右下に示されている。図示されているように、回胴２０ａ，２０ｂ，２０ｃを減速させる特殊減速も、ステップ１〜ステップ１８の１８段階に分けて行われる。すなわち、ステップ１〜ステップ１８へと進むにつれて、カウント値の設定を「１」（特殊回転時のカウント値）から次第に増加させていき、最後のステップ１８ではカウント値を「９０」まで増加させる。また、ステップが進むにつれて、励磁状態を負方向に順番に切り換えていく。こうすれば、励磁状態が負方向に順番に切り換わることに対応して、回胴２０ａ，２０ｂ，２０ｃが負方向に回転するとともに、回胴２０ａ，２０ｂ，２０ｃの回転速度が次第に低下していく。図２０（ａ）中で、回胴２０ａ，２０ｂ，２０ｃを負方向に定速回転させる特殊回転の後、回転速度を次第に減少させる特殊減速は、このようにしてステップモータを駆動することによって実現されている。尚、図２１中に右下に示した特殊減速用の駆動スケジュールにおいても、特殊減速の開始時点では、ステップモータのロータ（回転軸）が、励磁１に対応する位置にあるものとして説明したが、特殊減速開始時のロータの位置が励磁１以外に対応する位置にある場合には、その位置に対応する励磁状態から、負方向に励磁状態を順番に切り換えていけばよい。
【０１０１】
こうして特殊減速で最後のステップ１８に達すると、次は、その時の励磁状態を保持した状態となる。その結果、回胴２０ａ，２０ｂ，２０ｃは、停止した状態に保たれる。図２１中で右下に示した特殊減速用の駆動スケジュールの隣に（保持）と表示されているのは、励磁状態を保持することで、回胴２０ａ，２０ｂ，２０ｃを停止状態で保持していること（停止保持）を表している。尚、図２１中に示した特殊減速用の駆動スケジュールでは、ステップ１８の達した時の励磁状態が励磁８となっており、従って、励磁８の状態を保持するものとして示されている。しかし、これは、特殊減速を開始した時点で、ステップモータのロータ（回転軸）が、励磁１に対応する位置に存在した場合を想定したためである。従って、特殊減速開始時のロータの位置が励磁１以外に対応する位置にある場合には、ステップ１８での励磁状態も励磁８とは異なる状態となり、回胴２０ａ，２０ｂ，２０ｃを停止させる際には異なる励磁状態で保持されることになる。また、図２０（ａ）に示されているように、特殊駆動態様Ａの停止保持状態は、駆動開始から時間Ｔa2が経過するまで維持される設定となっている。このことと対応して、停止保持の状態は、駆動開始から時間Ｔa2が経過するまで維持されることになる。
【０１０２】
図１９に示した特殊駆動実行処理のＳ３５４では、以上のようにして、特殊駆動態様毎に予め設定されている駆動スケジュールに従って、特殊加速、特殊回転、特殊減速、および停止保持を実行する。
【０１０３】
続いて、決定した態様の特殊駆動を終了したか否かを判断する（Ｓ３５６）。図２０（ａ）に示したように、特殊駆動態様Ａでは、特殊加速、特殊回転、特殊減速、および停止保持を１回ずつ実行して、駆動時間が時間Ｔa2に達すると終了するから、Ｓ３５６では、特殊駆動を終了したと判断されて（Ｓ３５６：ｙｅｓ）、図１９の特殊駆動実行処理を終了する。
【０１０４】
以上では、図１９の特殊駆動実行処理のＳ３５０で、態様Ａの特殊駆動を選択した場合について説明した。これに対して、態様Ｂの特殊駆動を選択した場合は、次のようにして特殊駆動を実行する。
【０１０５】
先ず、態様Ａの特殊駆動を選択した場合の処理と同様に、駆動時間の計時を開始した後（Ｓ３５２）、決定した特殊駆動態様の駆動スケジュールに従って、特殊加速、特殊回転、特殊減速、および停止保持を実行する（Ｓ３５４）。態様Ｂの特殊駆動が選択された場合には、Ｓ３５４では、次のような処理が行われる。
【０１０６】
図２２は、態様Ｂの特殊駆動に対応する駆動スケジュールを示した説明図である。図２０（ｂ）を用いて前述したように、態様Ｂの特殊駆動では、特殊加速と、それに続く特殊回転、特殊減速、および停止保持が、２回繰り返されるように設定されている。このことと対応して、態様Ｂの駆動スケジュールには、図２２に示すように、最初の特殊加速用の駆動スケジュールと、最初の特殊回転用の駆動スケジュールと、最初の特殊減速用の駆動スケジュールと、最初の停止保持用の駆動スケジュールと、２回目の特殊加速用の駆動スケジュールと、２回目の特殊回転用の駆動スケジュールと、２回目の特殊減速用の駆動スケジュールと、２回目の停止保持用の駆動スケジュールとが設定されている。
【０１０７】
図２２中の左上に示した最初の特殊加速用の駆動スケジュールでは、ステップ１〜ステップ９の９つのステップに分けて、カウント値を「９０」から「２」まで減少させるとともに、励磁状態を正方向（すなわち、励磁１→励磁２→・・・・・→励磁７→励磁８→励磁１）に順番に切り換えていく。このため回胴２０ａ，２０ｂ，２０ｃが正方向に回転し、また、カウント値の設定が小さくなっていることに対応して、回転速度が次第に増加していく。但し、最初の特殊加速では、前述した通常加速とは異なって、カウント値が「２」までしか減少しない。従って、この特殊加速では、回転方向こそ通常加速と同じであるものの、通常加速よりも低い（約半分の）回転速度までしか加速しない特殊な態様で、回胴２０ａ，２０ｂ，２０ｃが加速することになる。
【０１０８】
そして、特殊加速を終了すると、特殊加速の最後のカウント値の設定を保ったまま、励磁状態を正方向に順番に切り換えていく。その結果、回胴２０ａ，２０ｂ，２０ｃは、正方向に一定速度で回転した状態となる。尚、この定速回転は、前述した通常回転よりも、回転速度が低い特殊な態様で行われる特殊回転となっている。また、ここでも、ステップモータのロータ（回転軸）が、駆動開始時点では、励磁１に対応する位置にあるものとして説明したが、駆動開始時のロータの位置が励磁１以外に対応する位置にある場合には、その位置に対応する励磁状態から、正方向に順番に励磁状態を切り換えていけばよい。図２０（ｂ）で、回胴２０ａ，２０ｂ，２０ｃを正方向に特殊加速させた後、加速後の回転速度を維持して特殊回転させる動作は、このようにしてステップモータを駆動することによって実現されている。
【０１０９】
また、図２０（ｂ）に示されているように、態様Ｂの特駆動では、駆動開始から時間Ｔb1が経過すると、最初の特殊減速が開始される。このことと対応して、最初の特殊回転の駆動スケジュールには、駆動開始から時間Ｔb1が経過したら、最初の特殊減速を開始する旨が設定されている。
【０１１０】
図２２の中ほどには、最初の特殊減速用の駆動スケジュールが示されている。図示されるように、最初の特殊減速は、ステップ１〜ステップ９の９段階で、カウント値を「２」から「９０」まで次第に増加させながら、ステップが進むにつれて、励磁状態を正方向に順番に切り換えることによって行われる。その結果、回胴２０ａ，２０ｂ，２０ｃは、正方向に回転しながら、次第に回転速度が低下することによって、特殊減速が行われる。尚、ここでも、特殊減速の開始時点では、ステップモータのロータ（回転軸）が、励磁１に対応する位置にあるものとして説明したが、特殊開始時のロータの位置が励磁１以外に対応する位置にある場合には、その位置に対応する励磁状態から、正方向に励磁状態を順番に切り換えていけばよい。そして、特殊減速における最後のステップ９に達すると、次は、その時の励磁状態を保持した状態となる。その結果、回胴２０ａ，２０ｂ，２０ｃは、停止状態に保持される。図２２の中ほどに示した最初の特殊減速用の駆動スケジュールの隣に（保持）と表示されているのは、励磁状態を保持することで、回胴２０ａ，２０ｂ，２０ｃを停止状態で保持することを表している。また、図２０（ｂ）に示されるように、態様Ｂの特殊駆動では、駆動開始から時間Ｔb2が経過すると、２回目の特殊加速が開始される。このことと対応して、最初の停止保持用の駆動スケジュールには、駆動開始から時間Ｔb2が経過すると、最初の停止保持状態を終了する旨が設定されている。
【０１１１】
尚、上述した「最初の特殊加速」および「最初の特殊減速」は、ステップモータのステップ数にして９ステップ分の移動で実行されている。また、この９ステップ分の移動は、全カウント値にして「１４９」、時間にして２２２．０１ｍｓｅｃ（＝１．４９ｍｓｅｃ×１４９）という短い時間で実行されている。
【０１１２】
以上のようにして、特殊加速、特殊回転、特殊減速、および停止保持を１回分だけ終了すると（図１９のＳ３５４）、決定した特殊駆動態様Ｂを終了したか否かを判断する（Ｓ３５６）。前述したように特殊駆動態様Ｂは、特殊加速、特殊回転、特殊減速、および停止保持を２回、繰り返すように設定されているから、１回目を終了した時点では、Ｓ３５６では「ｎｏ」と判断されるので、再びＳ３５４に戻って、２回目の特殊加速、特殊回転、特殊減速、および停止保持を開始する。その結果、図２０（ｂ）に示されるように、駆動開始から時間Ｔb2が経過すると、２回目の特殊加速が開始されることになる。
【０１１３】
２回目の特殊加速も、１回目の特殊加速とほぼ同様にして行われるが、特殊加速によって達する回転速度が１回目よりも小さな速度に設定されており、このことと対応して、特殊加速のためのステップも、少ないステップとなっている点が異なっている。すなわち、２回目の特殊加速では、ステップ１〜ステップ３にかけてカウント値の設定を「９０」から「７」に減少させると共に、ステップが進む度に励磁状態を正方向に順番に切り換える。その結果、回胴２０ａ，２０ｂ，２０ｃは正方向に加速して、２回目の特殊加速が行われる。また、このとき到達する回転速度は、ステップ３でのカウント値が「７」であることに対応して、１回目の特殊加速で到達する回転速度よりも更に低い速度となっている。そして、ステップ３に達したら、その時のカウント値の設定（ここでは、「７」）を保ったまま、励磁状態を正方向に順番に切り換えることによって、２回目の特殊回転を開始する。
【０１１４】
そして、図２０（ｂ）に示されているように、態様Ｂの特殊駆動では、駆動開始から時間Ｔb3が経過すると、２回目の特殊減速に移行する。このことと対応して、態様Ｂの２回目の特殊回転用の駆動スケジュールには、駆動開始から時間Ｔb3が経過したら、２回目の特殊減速を開始する旨が設定されている。
【０１１５】
２回目の特殊減速も、１回目の特殊減速とほぼ同様にして行われるが、減速開始前の回転速度（特殊回転の回転速度）が低いことに対応して、減速に要するステップが少なくなっている。すなわち、２回目の特殊減速では、ステップ１〜ステップ３にかけてカウント値の設定を「７」から「９０」に減少させると共に、ステップが進む度に励磁状態を正方向に順番に切り換えるようになっている。その結果、回胴２０ａ，２０ｂ，２０ｃは正方向に減速していき、２回目の特殊減速が行われる。そして、２回目の特殊減速における最後のステップ３に達すると、最後に達した励磁状態を保持することにより、回胴２０ａ，２０ｂ，２０ｃは、２回目の停止保持状態となる。また、図２０（ｂ）に示されるように、態様Ｂの特殊駆動では、駆動開始から時間Ｔb4が経過すると特殊駆動を終了するようになっている。このことと対応して、２回目の停止保持用の駆動スケジュールには、駆動開始から時間Ｔb4が経過すると、２回目の停止保持状態を終了する旨が設定されている。
【０１１６】
尚、上述した「２回目の特殊加速」および「２回目の特殊減速」は、ステップモータのステップ数にして３ステップ分の移動で実行されている。また、この３ステップ分の移動は、全カウント値にして「１１２」、時間にして１６６．８８ｍｓｅｃ（＝１．４９ｍｓｅｃ×１１２）という短い時間で実行されている。
【０１１７】
以上のようにして、２回目の特殊加速、特殊回転、特殊減速、および停止保持を終了すると（図１９のＳ３５４）、再び、特殊駆動態様Ｂを終了したか否かを判断する（Ｓ３５６）。そして、２回目の判断では、特殊駆動態様Ｂを終了したと判断されるので（Ｓ３５６：ｙｅｓ）、図１９に示した特殊駆動実行処理を終了して、図１５の回胴回転処理に復帰する。
【０１１８】
尚、上述した駆動態様Ａおよび駆動態様Ｂの特殊駆動に対応する駆動スケジュールは、主制御基板２００のＲＯＭ２０２に記憶されている。従って、本実施例の主制御基板２００に搭載されたＲＯＭ２０２は、本発明における「特殊回転態様記憶手段」に対応している。また、上述したように、特殊駆動を開始するに際して、特殊駆動の態様を決定する処理は、図１９に示した特殊駆動実行処理の中で行われている。従って、特殊駆動実行処理を行う本実施例の主制御基板２００のＣＰＵ２０１は、本発明における「特殊回転態様決定手段」に対応している。
【０１１９】
図１５に示した回胴回転処理では、特殊駆動実行処理（Ｓ３０６）から復帰すると、特殊回転フラグをＯＦＦに設定する（Ｓ３０８）。ここで、特殊回転フラグとは、特殊回転動作を行う旨を示すフラグであり（Ｓ３００参照）、ＢＢ役に内部当選した場合にＯＮに設定されるフラグである（図７のＳ１１４参照）。続いて、通常加速を行った後（Ｓ３０２）、通常回転を開始する（Ｓ３０４）。尚、通常加速および通常回転は、図１７を用いて前述した通常加速用の駆動スケジュールに従って、回胴２０ａ，２０ｂ，２０ｃを一定速度まで正方向に加速させた後、その回転速度を保って定速回転させることによって行われる。
【０１２０】
このように、図１５に示した回胴回転処理では、特殊回転フラグがＯＮに設定されていない場合には（Ｓ３００：ｎｏ）、回胴２０ａ，２０ｂ，２０ｃを通常駆動し、また特殊回転フラグがＯＮに設定されていた場合には（Ｓ３００：ｙｅｓ）、回胴２０ａ，２０ｂ，２０ｃを、特殊駆動してから通常駆動した後、図７の遊技制御処理に復帰する。
【０１２１】
尚、３つの回胴２０ａ，２０ｂ，２０ｃを通常加速および通常回転させるに先立って、特殊加速させた後、特殊回転させる処理は、図１９に示した特殊駆動実行処理の中で行われている。この特殊駆動実行処理は、主制御基板２００に搭載されたＣＰＵ２０１によって実行されていることから、本発明の主制御基板２００に搭載されたＣＰＵ２０１は、本発明における「特殊加速実行手段」および「特殊回転実行手段」に対応している。
【０１２２】
図７を用いて前述したように、遊技制御処理では、回胴回転処理（Ｓ１１６）で回胴２０ａ，２０ｂ，２０ｃを回転させた後は、遊技者による回胴停止ボタン３８ａ，３８ｂ，３８ｃのボタン操作に従って、回胴２０ａ，２０ｂ，２０ｃを停止させる処理（回胴回転停止処理）を開始する（Ｓ１１８）。この回胴回転停止処理では、先に行われた内部抽選処理（Ｓ１１０）で何れかの遊技役に内部当選し、尚且つ、遊技者が回胴停止ボタン３８ａ，３８ｂ，３８ｃを適切なタイミングで操作した場合にだけ、内部当選した遊技役に対応する図柄組合せが有効な入賞ライン上に揃うように、回胴２０ａ，２０ｂ，２０ｃを停止させる処理である。逆に言えば、遊技者がどのようなタイミングで回胴停止ボタン３８ａ，３８ｂ，３８ｃを操作した場合でも、内部当選していない遊技役の図柄組合せが揃うようなことがあってはならない。このような回胴回転停止処理は次のようにして行われている。
【０１２３】
Ｃ−４．回胴回転停止処理  ：
図２３は、本実施例の遊技機１で行われる回胴回転停止処理の流れを示すフローチャートである。前述したように、回胴回転停止処理は、主制御基板２００によって、図７および図８に示した遊技制御処理の中で実行される（図７のＳ１１８）。
【０１２４】
回胴回転停止処理を開始すると、先ず始めに、この処理に先立って行われた内部抽選（図７のＳ１１０）の結果に応じて第１停止テーブルを抽出する処理を行う（Ｓ４００）。ここで、停止テーブルとは、回胴２０ａ，２０ｂ，２０ｃを停止する際に参照する専用のテーブルである。詳しくは後述するが、遊技者が回胴停止ボタン３８ａ，３８ｂ，３８ｃを操作したときに、回胴の外周面に描かれた図柄のうち（図３参照）、何れの図柄を表示窓２０に表示して回胴２０ａ，２０ｂ，２０ｃを停止するかは、停止テーブルに予め設定されている。前述したように、内部抽選によってある遊技役に当選している場合は、適切なタイミングで回胴停止ボタン３８ａ，３８ｂ，３８ｃを操作すると、その遊技役に対応する図柄組合せが入賞ライン上に揃うように、各回胴２０ａ，２０ｂ，２０ｃを停止する必要がある。逆に、内部当選していない遊技役については、どのようなタイミングで回胴停止ボタン３８ａ，３８ｂ，３８ｃを操作したとしても、対応する図柄組合せが有効な入賞ライン上に揃わないように、各回胴２０ａ，２０ｂ，２０ｃを停止する必要がある。そのため、何れの遊技役に内部当選しているかに応じて、異なる停止テーブルが設けられている。
【０１２５】
また、このような停止テーブルには、回胴２０ａ，２０ｂ，２０ｃの全てが回転しているときに参照する第１停止テーブルと、既に何れかが停止しているときに参照する第２停止テーブルとが設定されている。そこで、回胴回転停止処理を開始した直後のＳ４００では、内部抽選の結果に応じて、先ず始めに第１停止テーブルを抽出する。例えば、「ベルの小役」に内部当選したと判断された場合は、「ベルの小役」当選時用に設定された第１停止テーブルを抽出する。もちろん、何れの遊技役にも当選していない場合には、ハズレ用に設定された第１停止テーブルを抽出する。
【０１２６】
こうして第１停止テーブルを抽出すると、回胴２０ａ，２０ｂ，２０ｃの回転速度が所定値（本実施例では７９．８９８回転／分）に達したか否かを判断する（Ｓ４０２）。Ｓ４０２では、回胴回転停止処理に先立っておこなわれた回胴回転処理（図７のＳ１１６）において、通常加速および通常回転が行われ、回胴２０ａ，２０ｂ，２０ｃが通常の一定速度（７９．８９８回転／分）になることで、回転速度が所定速度に達したと判断される。そして、回胴２０ａ，２０ｂ，２０ｃの回転速度が所定値に達すると（Ｓ４０２：ｙｅｓ）、回胴停止ボタン３８ａ，３８ｂ，３８ｃの操作を有効化する（Ｓ４０４）。なお、本実施例では、回胴２０ａ，２０ｂ，２０ｃが特殊駆動している間は、回胴停止ボタン３８ａ，３８ｂ，３８ｃが操作されても回胴２０ａ，２０ｂ，２０ｃを停止させることなく、当該操作を無効化している。
【０１２７】
次いで、有効となった回胴停止ボタン３８ａ，３８ｂ，３８ｃの何れかが操作されたか否かを判断する（Ｓ４０６）。前述したように、遊技者が回胴停止ボタン３８ａ，３８ｂ，３８ｃを操作すると、その操作信号が主制御基板２００に供給される。主制御基板２００は、この操作信号に基づいて、回胴停止ボタン３８ａ，３８ｂ，３８ｃが操作されたか否かを判断することができる。そして、何れの回胴停止ボタンも操作されていない場合は（Ｓ４０６：ｎｏ）、操作されるまで待機する。
【０１２８】
一方、何れかの回胴停止ボタンが操作された場合は（Ｓ４０６：ｙｅｓ）、操作された回胴停止ボタンを無効化するとともに（Ｓ４０８）、回胴停止ボタンが操作された時に、そのボタンに対応する回胴が何れの回転位置にあったかを検出する（Ｓ４１０）。前述したように、回胴２０ａ，２０ｂ，２０ｃのそれぞれに対応して回胴センサ２６ａ，２６ｂ，２６ｃが設けられており（図４参照）、回胴２０ａ，２０ｂ，２０ｃの回転位置を検出可能である。また、本実施例の遊技機１では、回胴停止ボタンの操作時に、対応する回胴に描かれた複数の図柄（図３参照）の中の何番目の図柄が所定の「基準位置」に表示されていたかに基づいて、その回胴の回転位置を検出するようになっている。ここで、基準位置は、各回胴の回転位置を相対的に検出するために予め定められた特別な位置であり、本実施例の遊技機１では、何れの回胴も表示窓２０の中段の位置が基準位置に設定されている。
【０１２９】
このようにして、回胴停止ボタンが操作された回胴の回転位置を検出したら、その回胴を適切な位置で停止させるための処理（回胴停止制御処理）を開始する（Ｓ４１２）。この回胴停止制御処理の詳細な内容については後述する。
【０１３０】
回胴停止制御処理を行って、回胴停止ボタンが操作された回胴を停止させると、３つの回胴２０ａ，２０ｂ，２０ｃの全てを停止させたか否かを判断する（Ｓ４１４）。そして、未だ回胴停止ボタンが操作されずに回転中の回胴がある場合は（Ｓ４１４：ｎｏ）、Ｓ４０６の処理に戻って、有効な回胴停止ボタンが操作されるまで待機し、操作されたら続く上述した一連の処理を実行する。こうした処理を繰り返すうちに、全ての回胴を停止させたと判断されたら（Ｓ４１４：ｙｅｓ）、図２３の回胴回転停止処理を終了して、図７および図８に示した遊技制御処理に復帰する。
【０１３１】
ここで、上述した回胴回転停止処理（図２３）の中で回胴停止ボタンが操作された場合に、対応する回胴を適切な位置で停止させるために行われる回胴停止制御処理（Ｓ４１２）の内容について説明する。
【０１３２】
図２４は、回胴回転停止処理の中で実行される回胴停止制御処理の流れを示したフローチャートである。回胴停止制御処理を開始すると、先ず始めに、停止させる回胴が第１回胴であるか否かを判断する（Ｓ５００）。ここで、第１回胴とは、３つの回胴２０ａ，２０ｂ，２０ｃの中で最初に停止する回胴をいう。すなわち、３つの回胴停止ボタン３８ａ，３８ｂ，３８ｃは、どのような順序で操作してもよいことから、３つの回胴２０ａ，２０ｂ，２０ｃの停止する順序は種々の順序を取り得る。そこで、３つの回胴２０ａ，２０ｂ，２０ｃの中で最初に停止する回胴を「第１回胴」と呼び、２番目に停止する回胴を「第２回胴」、３番目に停止する回胴を「第３回胴」と呼んで区別する。そして、第１回胴を停止させると判断された場合は（Ｓ５００：ｙｅｓ）、回胴回転停止処理の開始直後（図２３のＳ４００）に抽出しておいた第１停止テーブルを参照しながら、先に検出した回胴停止ボタン操作時の第１回胴の回転位置（図２３のＳ４１０）に基づいて、第１回胴の停止位置を決定する（Ｓ５０２）。本実施例の遊技機１では、回胴の停止位置として、基準位置に停止表示させる図柄（停止図柄）を決定するようになっている。
【０１３３】
図２５は、本実施例の遊技機１に設定されている第１停止テーブルの１つを例示した説明図である。停止テーブルには、回胴停止ボタンが操作された時の回胴の回転位置と、回胴停止ボタンが操作されてからその回胴を停止するまでの時間（停止時間）との対応関係が設定されている。上述したように、本実施例では、回胴２０ａ，２０ｂ，２０ｃの回転位置を、基準位置に表示されていた図柄よって検出していることから、図２５では、回転位置として、回胴２０ａ，２０ｂ，２０ｃの外周面に描かれた図柄の番号（図３の図柄配列に付された番号に対応する）が設定されている。また、前述したように、回胴停止ボタンの操作が有効化された時点では、対応する回胴は一定の速度で回転しているので（図２３のＳ４０２：ｙｅｓ）、停止時間が決まれば、その間に回胴上に描かれた図柄にして何コマ分回転が進むかも決定される。そこで、図２５に示した例では、停止時間に代えて、回胴停止ボタンが操作されてから何コマ分回転を進めて（滑らせて）その回胴を停止するかを示す「滑りコマ数」が設定されている。従って、このような停止テーブルを参照すれば、回胴停止ボタンの操作時に基準位置に表示されていた図柄に対応する滑りコマ数を読み出して、停止図柄を決定することができる。
【０１３４】
一例として、左回胴２０ａを第１回胴として停止させる場合について説明する。遊技者が左側の回胴停止ボタン（左停止ボタン）３８ａを操作した時点で、図２６に示すように、表示窓２０の中段の位置（基準位置）に１０番の「赤セブン」の図柄が表示されていたとする。この場合に、図２５の第１停止テーブルを参照すると、１０番の「赤セブン」の図柄に対して滑りコマ数が「２」と設定されている。そのため、図柄２コマ分滑らせて１２番の「ベル」の図柄を、基準位置に表示させる停止図柄に決定する。図２６では、白抜きの矢印によって回胴の回転方向を示しており、破線の円で囲んだ図柄が停止図柄となることを表している。
【０１３５】
ここで、停止テーブルに設定される停止時間は、最大で１９０ｍｓｅｃとなっており、この１９０ｍｓｅｃの間に、回胴２０ａ，２０ｂ，２０ｃは図柄にして４コマ分回転する。換言すれば、回胴停止ボタンが操作されると、その時点で基準位置に表示されている図柄から最大で４コマ以内にある図柄（基準位置の図柄を含めて５つの図柄）の中から停止図柄を決定することになる。このことと対応して、停止テーブル（図２５）では、基準位置の図柄に応じて、滑りコマ数として０〜４の数値が設定されている。
【０１３６】
このように、回胴の停止位置は、停止テーブルに設定されている停止時間（滑りコマ数）によって決定される。従って、停止テーブルを予め適切に設定しておけば、内部当選した遊技役に対応する図柄組合せは、有効な入賞ライン上に比較的容易に揃うように、逆に、内部当選していない遊技役の図柄組合せは、有効な入賞ライン上に決して揃わないように、各回胴２０ａ，２０ｂ，２０ｃを停止することが可能となる。
【０１３７】
以上のようにして第１回胴の停止位置を決定したら、決定した位置で第１回胴を停止させる（図２４のＳ５０４）。その後、第１回胴に停止表示された図柄に応じて第２停止テーブルを抽出すると（Ｓ５０６）、図２４の回胴停止制御処理を一旦終了して、図２３に示した回胴回転停止処理に復帰する。ここで、第１停止テーブルと第２停止テーブルとの関係について補足して説明する。
【０１３８】
図２７は、第１停止テーブルと第２停止テーブルとの関係を示した説明図である。上述したように第１停止テーブルは、第１回胴を停止する際、すなわち、回胴２０ａ，２０ｂ，２０ｃの全てが回転しているときに参照するテーブルであり、３つの回胴の全てを対象に設定されている。これに対して、第２停止テーブルは、第２回胴および第３回胴を停止する際に参照するテーブルであり、既に停止している第１回胴が３つの回胴２０ａ，２０ｂ，２０ｃの中の何れであるかに応じて、第１回胴を除く残り２つの回胴を対象に設定されている。また、前述したように、内部当選した遊技役の入賞を成立させるには、対応する図柄組合せが入賞ライン上に揃う必要があり、逆に、内部当選していない遊技役の図柄組合せは、入賞ラインの何れにも揃わないようにする必要がある。このことから、第２回胴あるいは第３回胴に何れの図柄を停止表示させるかは、既に停止した第１回胴に表示された図柄に影響される場合がある。従って、第２停止テーブルは、第１回胴に停止表示された図柄に応じて複数用意されており、図２４のＳ５０６では、第１回胴に何れの図柄が停止表示されたかに応じて適切な第２停止テーブルを抽出する。尚、前述したように、各回胴２０ａ，２０ｂ，２０ｃの停止位置は、内部当選している遊技役に左右されるため、第１停止テーブルも第２停止テーブルも共に、内部当選している遊技役に応じてそれぞれ設定されている。
【０１３９】
以上では、停止させる回胴が第１回胴であった場合（図２４のＳ５００：ｙｅｓ）に行われる処理について説明したが、停止させる回胴が第１回胴ではなかった場合、すなわち、既に何れかの回胴が停止している場合には（Ｓ５００：ｎｏ）、停止させる回胴が第２回胴であるか否かを判断する（Ｓ５０８）。そして、第２回胴であると判断された場合は（Ｓ５０８：ｙｅｓ）、Ｓ５０６で抽出した第２停止テーブルを参照しながら、先に検出した回胴停止ボタン操作時の第２回胴の回転位置（図２３のＳ４１０）に基づいて、前述した第１回胴の場合と同様に、第２回胴の停止位置を決定する（Ｓ５１０）。その後、決定した位置で第２回胴を停止すると（Ｓ５１２）、図２４の回胴停止制御処理を一旦終了して、図２３の回胴回転停止処理に復帰する。
【０１４０】
これに対して、停止させる図柄が第２回胴ではなかった場合は（Ｓ５０８：ｎｏ）、既に第１回胴および第２回胴は停止しており、第３回胴を停止させると判断されるので、第２停止テーブルを参照しながら、先に検出した回胴停止ボタン操作時の第３回胴の回転位置（図２３のＳ４１０）に基づいて、第３回胴の停止位置を決定する（Ｓ５１４）。図２７に示したように、第２停止テーブル中には、第２回胴および第３回胴の両方の停止情報（停止時間）が設定されていることから、第３回胴の停止位置を決定する際にも第２停止テーブルを参照する。こうして決定した位置で第３回胴を停止したら（Ｓ５１６）、図２４の回胴停止制御処理を終了して、図２３に示した回胴回転停止処理に復帰する。
【０１４１】
以上に説明したように、回胴回転停止処理では、内部当選している遊技役に応じて適切な停止テーブルを抽出するとともに、回胴停止ボタン３８ａ，３８ｂ，３８ｃの何れかが操作されると、対応する回胴のボタン操作時の回転位置に基づいて、停止テーブルを参照しながら停止位置を決定することによって、各回胴２０ａ，２０ｂ，２０ｃを適切な位置で停止させるようになっている。そして、全ての回胴２０ａ，２０ｂ，２０ｃを停止させたら、図７および図８に示した遊技制御処理に復帰した後、何れかの遊技役の入賞が成立したか否かを判断し（図７のＳ１２２）、何れかの遊技役の入賞が成立していた場合には（Ｓ１２２：ｙｅｓ）、成立した遊技役に応じて遊技状態フラグを設定したり（図８のＳ１２４〜Ｓ１３４）、あるいは遊技メダルを払い出したりする処理を行った後（Ｓ１３６〜Ｓ１４０）、再び処理の先頭に戻って、遊技状態設定処理に続く上述した一連の処理を繰り返す。
【０１４２】
以上に説明したように、本実施例の遊技機１では、電力が供給されている間は、図７および図８を用いて前述した遊技制御処理を繰り返し実行する。そして、１日の営業時間が終了して、遊技機１の電源スイッチ１２０ｓをＯＦＦにすると、その時の遊技状態を、ＲＡＭ２０３やＲＡＭ２２３のバックアップ領域に記憶した後、図７および図８に示した遊技制御処理を終了する。また、停電などによって電力の供給が突然切断された場合にも、電力の供給が回復した後に切断前の遊技状態を復帰させるべく、遊技状態に関するデータをバックアップ領域に記憶する。
【０１４３】
ここで、上述したように本実施例の遊技機１では、回胴２０ａ，２０ｂ，２０ｃを回転させる態様として、通常加速に続いて通常回転させる通常駆動態様に加えて、態様Ａおよび態様Ｂの特殊駆動態様が設けられている。従って、回胴２０ａ，２０ｂ，２０ｃを、態様Ａまたは態様Ｂの特殊駆動態様で回転させている最中に電力の供給が切断された場合（すなわち、電断状態が発生した場合）には、電力供給が回復した後、切断前の回転状態に復帰させる必要が生じる。そして、特殊駆動態様には、態様Ａまたは態様Ｂの２種類の態様が存在しており、それぞれの態様毎に、回胴２０ａ，２０ｂ，２０ｃの回転状態を復帰させるための特別な処理を行ったのでは、遊技機１の制御がたいへん複雑になってしまう。そこで、本実施例の遊技機１では、電力の供給が開始されると、以下に説明する特殊な電源投入処理を行うこととしている。
【０１４４】
Ｄ．電源投入処理  ：
図２８は、本実施例の遊技機１で行われる電源投入処理を示したフローチャートである。この処理は、例えば、遊技ホールの開店時に遊技機１の電源スイッチ１２０ｓがＯＮにされた場合や、あるいは停電などで切断された電力の供給が回復した場合などに、図７および図８の遊技制御処理に先立って行われる処理である。
【０１４５】
図示されるように、主制御基板２００のＣＰＵ２０１は、電源投入処理（Ｓ６００）を開始すると、先ず始めに、ＲＡＭ２０３がクリアされたか否かを判断する（Ｓ６０２）。すなわち、遊技機１には、いわゆる「クリアスイッチ」と呼ばれるスイッチが設けられており、遊技ホールの担当者が、開店時などに前日の遊技状態を引き継がない状態で開店したいと考えた場合には、電源スイッチ１２０ｓをＯＮにする際に、クリアスイッチもＯＮにするようになっている。そこで、電源投入処理を開始すると、先ず始めに、ＲＡＭ２０３がクリアされたか否か（すなわち、クリアスイッチがＯＮにされたか否か）を判断する（Ｓ６０２）。その結果、ＲＡＭ２０３がクリアされたと判断された場合は（Ｓ６０２：ｙｅｓ）、ＲＡＭ２０３のバックアップ領域に記憶されているデータや、ＲＡＭ２０３の使用していない領域のデータを初期化した後（Ｓ６０４）、図２８の電源投入処理を終了する。そして、電源投入処理の終了後は、図７および図８を用いて前述した遊技制御処理を開始する。
【０１４６】
一方、電源の投入時に、ＲＡＭ２０３がクリアされていなかった場合は（Ｓ６０２：ｎｏ）、電源切断（単に、電断とも呼ばれる）前の遊技状態を復元させるために、ＲＡＭ２０３のバックアップ領域に記憶されているデータを読み込む処理を行う（Ｓ６０６）。その結果、図１０を用いて前述した内部当選フラグや、図１１を用いて前述した遊技状態フラグ、更には、特殊回転中であれば、計時中の駆動時間などが、電源切断前の状態に復元される。尚、電断状態から復帰したときに備えて、電断発生時の駆動時間などの各種状態を記憶しておく処理は、主制御基板２００のＣＰＵ２０１によって実行されている。従って、本実施例の主制御基板２００に搭載されたＣＰＵ２０１は、本発明における「残り実行時間記憶手段」に対応するものとなっている。
【０１４７】
そして、電源切断時に回胴２０ａ，２０ｂ，２０ｃが回転中だったか否かを、読み込んだデータに基づいて判断し（Ｓ６０８）、回転中ではなかったと判断された場合は（Ｓ６０８：ｎｏ）、そのまま、図２８の電源投入処理を終了して、図７および図８に示した遊技制御処理を開始する。その結果、遊技制御処理の先頭で行われる遊技状態設定処理では、電源切断時の遊技状態が設定されて遊技が開始されることになる。
【０１４８】
これに対して電源切断時に回胴２０ａ，２０ｂ，２０ｃが回転中だったと判断された場合は（Ｓ６０８：ｙｅｓ）、特殊回転フラグがＯＮに設定されているか否かを判断する（Ｓ６１０）。特殊回転フラグとは、前述したように、ＢＢ役に内部当選するとＯＮに設定されて（図７のＳ１１４）、特殊駆動が終了するとＯＦＦに戻されるフラグである（図１５のＳ３０６）。従って、図２８に示した電源投入処理のＳ６１０で、特殊回転フラグがＯＮと判断されるということは、特殊駆動中に電源が切断されたことを示している。逆に、特殊回転フラグがＯＦＦになっているということは、Ｓ６０８において回胴２０ａ，２０ｂ，２０ｃは回転中であったと判断されているから、通常駆動中に電源が切断されたことを示している。なお、特殊回転フラグがＯＮと判断された際には、特殊駆動の開始時にＲＡＭ２０３に記憶しておいた「特殊駆動態様情報」を読み出すことで、電断前の特殊駆動の態様が、何れの態様であったかも把握可能になっている。
【０１４９】
そこで、回胴２０ａ，２０ｂ，２０ｃが回転中と判断された場合には（Ｓ６０８：ｙｅｓ）、続いて、特殊回転フラグがＯＮに設定されているか否かを判断し（Ｓ６１０）、特殊回転フラグがＯＮではなかった場合は（Ｓ６１０：ｎｏ）、回胴２０ａ，２０ｂ，２０ｃを通常回転状態に復帰させる（Ｓ６１２）。すなわち、図１７に示した駆動スケジュールと同様に、カウント値の設定を次第に小さくしながら、励磁状態を正方向に順番に切り換えていくことによって、回胴２０ａ，２０ｂ，２０ｃを正方向に加速させて通常加速を行い、カウント値が「１」に達したら、そのカウント値を保ったまま、励磁状態を正方向に順番に切り換えることによって、通常回転を開始する。また、通常回転動作中は、回胴センサ２６ａ，２６ｂ，２６ｃによって、各回胴２０ａ，２０ｂ，２０ｃの回転位置が検出されているが、電源が切断されたことに伴って、回胴２０ａ，２０ｂ，２０ｃの位置も切断前の位置からはずれてしまっているので、回転位置を再検出する処理も行われる。こうして、電源が切断される前の状態に復帰させた後、図２８の電源投入処理を終了して、図７および図８に示した遊技制御処理を開始する。
【０１５０】
尚、通常回転中に電源切断状態になった場合、電源の供給が再開されたことを受けて、回胴２０ａ，２０ｂ，２０ｃを通常回転させる処理は、図２８に示した電源投入処理の中で実行されている。この電源投入処理は、主制御基板２００に搭載されたＣＰＵ２０１によって実行されていることから、本実施例の主制御基板２００のＣＰＵ２０１は、本発明における「通常回転復帰手段」に対応するものとなっている。
【０１５１】
一方、図２８の電源投入処理のＳ６１０で、特殊回転フラグがＯＮになっていると判断された場合は（Ｓ６１０：ｙｅｓ）、特殊駆動中に電源が切断されたことを示している。そこで、この場合は、以下に説明する特殊回転復帰処理を開始する（Ｓ６１４）。
【０１５２】
Ｅ．特殊回転復帰処理  ：
図２９は、特殊回転復帰処理を示すフローチャートである。図示されるように、特殊回転復帰処理を開始すると、先ず始めに、電源切断時に記憶しておいた駆動時間および特殊駆動態様情報に基づいて、復帰させる特殊回転の態様を決定する（Ｓ７００）。例えば、特殊駆動態様情報が示す駆動態様が、図２０（ａ）に示した態様Ａであった場合には、特殊回転は１種類しか含まれていないから、復帰させる特殊回転を直ちに決定することができる。これに対して、特殊駆動態様情報が示す駆動態様が態様Ｂであった場合には、図２０（ｂ）に示すように、１回目の特殊回転と、２回目の特殊回転の２種類の特殊回転が存在する。そこで、この場合は、電源切断時の駆動時間に基づいて、何れの特殊回転に復帰させるかを決定する。例えば、駆動時間が時間Ｔb1よりも少なければ、復帰させる特殊回転は１回目の特殊回転と判断することができるし、それ以外の場合には、２回目の特殊回転に復帰させるものと判断することができる。
【０１５３】
尚、前述したように、特殊駆動には、特殊回転している時間だけでなく、特殊加速や特殊減速を行っている時間や、更には停止状態を保持している時間も存在している。従って、特殊回転以外の時間中に電源が切断されることも起こり得る。しかし、前述したように特殊加速や特殊減速は極めて短時間で終了し、また、停止状態を保持する時間も、特殊回転を行う時間に較べれば短いので、ほとんどの場合が特殊回転中に電源が切断される。そこで、特殊加速中に電源が切断された場合には、その特殊加速に続く特殊回転中に切断されたものとして取り扱い、また、特殊減速中や停止保持中に電源が切断された場合には、その特殊減速や停止保持の後で行われる特殊回転中に切断されたものと取り扱うこととしている。従って、極めて稀なケースではあるが、特殊駆動の終了直前の特殊減速中や停止保持中に電源切断が発生した場合には、復帰させる特殊回転が存在しなくなるので、暫定的に回転速度０の特殊回転に復帰させるものとしてもよい。
【０１５４】
こうして、復帰させる特殊回転を決定したら、その特殊回転に対応する特殊加速を実行する（Ｓ７０４）。例えば、復帰させる特殊回転が、態様Ａの特殊回転であった場合には、図２１に示した駆動スケジュールに従って、態様Ａの特殊加速を実行する。また、復帰させる特殊回転が、態様Ｂの１回目の特殊回転であった場合には、図２２の左上に示した駆動スケジュールに従って、態様Ｂの１回目の特殊加速を実行する。更には、上述した稀なケースとして、復帰させる特殊回転が回転速度０の暫定的な特殊回転であった場合には、停止状態を保持しておく。
【０１５５】
続いて、電源断発生時に残っていた駆動時間の計時を再開した後（Ｓ７０６）、特殊回転を開始する（Ｓ７０８）。その結果、電源断発生時の特殊回転状態への復帰が完了したことになるので、図２９の特殊回転復帰処理を終了する。特殊回転復帰処理を終了すると、図２８の電源投入処理を経由して、電源断発生時の遊技制御処理に復帰する。すると、図１５に示した回胴回転処理の中の特殊駆動実行処理が行われる状態に復帰するので、特殊回転を終了した後、特殊回転フラグがＯＦＦにされ（Ｓ３０８）、その後、通常加速および通常回転が開始されることになる。
【０１５６】
尚、特殊回転中に電源切断状態になった場合、電源の供給が再開されると、特殊加速を行って特殊回転状態に復帰させるとともに、残った駆動時間の計時を再開する処理は、図２８に示した電源投入処理の中の特殊回転復帰処理で実行されている。従って、この処理を実行する本実施例の主制御基板２００に搭載されたＣＰＵ２０１は、本発明における「特殊回転復帰手段」および「計時再開手段」に対応するものとなっている。
【０１５７】
図３０は、上述した特殊回転復帰処理によって、電源切断前の状態に復帰する様子を示した説明図である。図３０（ａ）には、電源切断に態様Ａの特殊回転を行っていた場合が示されており、図３０（ｂ）には、態様Ｂの特殊回転を行っていた場合が示されている。例えば、図３０（ａ）に示したように、態様Ａでの特殊駆動の開始後、時間Ｔｘが経過した時点で電源切断（電断）が発生したものとする。時間Ｔｘでは、回胴２０ａ，２０ｂ，２０ｃは負方向に一定速度で特殊回転しているから、電源投入後は、特殊回転に対応する特殊加速を行って一定速度まで加速させた後、特殊回転に移行すると同時に、時間Ｔｘからの計時を再開する。こうすることで、電源切断前の状態に、確実に復帰させることが可能となる。
【０１５８】
また、図３０（ｂ）に示したように、態様Ｂの特殊駆動の開始後、時間Ｔｘが経過した時点で電源切断（電断）が発生したものとすると、電源切断時点では、回胴２０ａ，２０ｂ，２０ｃは正方向に１回目の特殊回転を行っているから、電源投入後は、態様Ｂの１回目の特殊回転に対応する特殊加速を行って一定速度まで加速させた後、１回目の特殊回転に移行すると同時に、時間Ｔｘからの計時を再開する。こうすることで、電源切断前の状態に、確実に復帰させることが可能となる。
【０１５９】
このように、本実施例の特殊回転復帰処理では、特殊駆動中に電源切断が発生すると、電源投入後は、電源切断前に行われていた特殊回転を判別し、その特殊回転に対応する特殊加速を行った後に、電源切断以降の計時を再開する。どのような特殊回転でも、その特殊回転を開始するための特殊加速が必ず設けられているから、特殊回転中に電源切断状態が発生した場合には、先ず始めに、その特殊回転に対応する特殊加速をそのまま使用して特殊回転状態を復元した後、電源切断以降の計時を再開することとすれば、どのような特殊回転中に電源切断状態が発生した場合でも、電源切断が発生する前の特殊回転状態を、正確に復帰させることが可能となる。また、電源切断前の状態に復帰させるために、特殊回転を開始するための特殊加速をそのまま使って、特殊回転状態に復帰させているので、如何に特殊回転の態様が多くなった場合でも、遊技機１の制御が複雑化することもない。
【０１６０】
更に、上述した本実施例の特殊回転復帰処理では、特殊回転中に電源切断が発生した後に電源が投入されると、特殊回転状態に復帰させた後、電源切断によって中断した特殊回転時間の計時を再開するようになっている。一般に、回胴式遊技機は、遊技者によって遊技が行われる時間あたりのゲーム回数が、ある程度のゲーム回数となるように、各種演出の時間配分が決定されている。本実施例の特殊回転復帰処理では、電源切断から復帰すると、中断した時点から計時を再開するようにしているので、各種演出の時間配分を保っておくことができるという利点も生じる。
【０１６１】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１６２】
例えば、上述した実施例の特殊回転は、回胴２０ａ，２０ｂ，２０ｃの全てで通常と異なる特殊な回転を行うこととしていたが、回胴２０ａ，２０ｂ，２０ｃのうちの２つ又はいずれか１つだけが特殊回転を行うようにしてもよい。この場合、復帰処理においても、特殊回転を行っていた回胴のみを対象として各実施例で記載した復帰処理を行うこととすればよい。この構成でも上述した実施例と同等の効果を奏することができる。
【産業上の利用可能性】
【０１６３】
本発明は、遊技ホールで用いられる回胴式遊技機に利用することができる。
【符号の説明】
【０１６４】
１…回胴式遊技機（遊技機）、  ２０…表示窓、  ２０ａ，２０ｂ，２０ｃ…回胴、
３８ａ，３８ｂ，３８ｃ…回胴停止ボタン、  ２００…主制御基板、
２０１…ＣＰＵ（通常加速実行手段、通常回転実行手段、特殊加速実行手段、特殊回転実行手段、通常回転復帰手段、残り実行時間記憶手段、特殊回転復帰手段、計時再開手段、特殊回転態様記憶手段、特殊回転態様決定手段）、
２０２…ＲＯＭ（特殊回転態様記憶手段）
【図１】
2010279628.tif 000003
【図２】
2010279628.tif 000004
【図３】
2010279628.tif 000005
【図４】
2010279628.tif 000006
【図５】
2010279628.tif 000007
【図６】
2010279628.tif 000008
【図７】
2010279628.tif 000009
【図８】
2010279628.tif 000010
【図９】
2010279628.tif 000011
【図１０】
2010279628.tif 000012
【図１１】
2010279628.tif 000013
【図１２】
2010279628.tif 000014
【図１３】
2010279628.tif 000015
【図１４】
2010279628.tif 000016
【図１５】
2010279628.tif 000017
【図１６】
2010279628.tif 000018
【図１７】
2010279628.tif 000019
【図１８】
2010279628.tif 000020
【図１９】
2010279628.tif 000021
【図２０】
2010279628.tif 000022
【図２１】
2010279628.tif 000023
【図２２】
2010279628.tif 000024
【図２３】
2010279628.tif 000025
【図２４】
2010279628.tif 000026
【図２５】
2010279628.tif 000027
【図２６】
2010279628.tif 000028
【図２７】
2010279628.tif 000029
【図２８】
2010279628.tif 000030
【図２９】
2010279628.tif 000031
【図３０】
2010279628.tif 000032